(57)【要約】  無線アクセスネットワーク（ＲＡＮ）ベース通知エリア更新（ＲＮＡＵ）によってトリガされた再開要求の拒否の後の、または再開中のセル再選択時の、無線デバイス挙動に関係するシステムおよび方法が、本明細書で開示される。いくつかの実施形態では、無線デバイスの動作の方法が、ＲＡＮノードに、ＲＮＡＵによってトリガされた無線リソース制御（ＲＲＣ）再開要求を送信することと、ＲＲＣ再開要求に応答して、ＲＡＮノードから、待機タイマー値を備えるＲＲＣ再開拒否メッセージを受信することとを含む。本方法は、待機タイマー値で初期化された待機タイマーを開始することと、待機タイマーが満了したときにＲＮＡＵを送ることとをさらに含む。無線デバイスの対応する実施形態も開示される。無線デバイスと、再開中にセル再選択を実施したときの無線デバイスの挙動に関係する無線デバイスの動作の方法との実施形態も、開示される。【選択図】図７
2021522743.tif 000002
【特許請求の範囲】
【請求項１】
セルラー通信システムにおける無線デバイスの動作の方法であって、前記方法は、
無線アクセスネットワーク（ＲＡＮ）ノードに、ＲＡＮベース通知エリア更新（ＲＮＡＵ）によってトリガされた無線リソース制御（ＲＲＣ）再開要求を送信すること（７００）と、
前記ＲＲＣ再開要求に応答して、前記ＲＡＮノードから、待機タイマー値を備えるＲＲＣ再開拒否メッセージを受信すること（７０２）と、
前記待機タイマー値で初期化された待機タイマーを開始すること（７０４）と、
前記待機タイマーが満了したときに前記ＲＮＡＵを送ること（７０８）と
を含む、方法。
【請求項２】
前記待機タイマーが稼働している間にＲＡＮページングおよびコアネットワークページングを監視すること（７０６）をさらに含む、請求項１に記載の方法。
【請求項３】
前記待機タイマーが稼働している間にＲＡＮページングまたはコアネットワークページングを受信すると、前記ＲＡＮページングまたは前記コアネットワークページングに応答すること（７０６）をさらに含む、請求項２に記載の方法。
【請求項４】
前記ＲＮＡＵが周期的ＲＮＡＵである、請求項１から３のいずれか一項に記載の方法。
【請求項５】
前記ＲＮＡＵがモビリティによるものである、請求項１から３のいずれか一項に記載の方法。
【請求項６】
セルラー通信システムのための無線デバイスであって、前記無線デバイスは、
無線アクセスネットワーク（ＲＡＮ）ノードに、ＲＡＮベース通知エリア更新（ＲＮＡＵ）によってトリガされた無線リソース制御（ＲＲＣ）再開要求を送信することと、
前記ＲＲＣ再開要求に応答して、前記ＲＡＮノードから、待機タイマー値を備えるＲＲＣ再開拒否メッセージを受信することと、
前記待機タイマー値で初期化された待機タイマーを開始することと、
前記待機タイマーが満了したときに前記ＲＮＡＵを送ることと
を行うように適応された、無線デバイス。
【請求項７】
前記無線デバイスは、前記待機タイマーが稼働している間にＲＡＮページングおよびコアネットワークページングを監視するようにさらに適応された、請求項６に記載の無線デバイス。
【請求項８】
前記無線デバイスは、前記待機タイマーが稼働している間にＲＡＮページングまたはコアネットワークページングを受信すると、前記ＲＡＮページングまたは前記コアネットワークページングに応答するようにさらに適応された、請求項７に記載の無線デバイス。
【請求項９】
前記ＲＮＡＵが周期的ＲＮＡＵである、請求項６から８のいずれか一項に記載の無線デバイス。
【請求項１０】
前記ＲＮＡＵがモビリティによるものである、請求項６から８のいずれか一項に記載の無線デバイス。
【請求項１１】
セルラー通信システムのための無線デバイスであって、前記無線デバイスが、
無線フロントエンド回路と、
前記無線フロントエンド回路に関連付けられた処理回路と
を備え、前記処理回路は、前記無線デバイスに、
無線アクセスネットワーク（ＲＡＮ）ノードに、ＲＡＮベース通知エリア更新（ＲＮＡＵ）によってトリガされた無線リソース制御（ＲＲＣ）再開要求を送信することと、
前記ＲＲＣ再開要求に応答して、前記ＲＡＮノードから、待機タイマー値を備えるＲＲＣ再開拒否メッセージを受信することと、
前記待機タイマー値で初期化された待機タイマーを開始することと、
前記待機タイマーが満了したときに前記ＲＮＡＵを送ることと
を行わせるように設定された、無線デバイス。
【請求項１２】
前記処理回路は、前記無線デバイスに、前記待機タイマーが稼働している間にＲＡＮページングおよびコアネットワークページングを監視させるようにさらに設定された、請求項１１に記載の無線デバイス。
【請求項１３】
前記処理回路は、前記無線デバイスに、前記待機タイマーが稼働している間にＲＡＮページングまたはコアネットワークページングを受信すると、前記ＲＡＮページングまたは前記コアネットワークページングに応答させるようにさらに設定された、請求項１２に記載の無線デバイス。
【請求項１４】
前記ＲＮＡＵが周期的ＲＮＡＵである、請求項１１から１３のいずれか一項に記載の無線デバイス。
【請求項１５】
前記ＲＮＡＵがモビリティによるものである、請求項１１から１３のいずれか一項に記載の無線デバイス。
【請求項１６】
セルラー通信システムにおける無線デバイスの動作の方法であって、前記方法は、
無線アクセスネットワーク（ＲＡＮ）ノードに、無線リソース制御（ＲＲＣ）再開要求を送信すること（８００）と、
前記ＲＲＣ再開要求に応答して、前記ＲＡＮノードから、待機タイマー値を備えるＲＲＣ再開拒否メッセージを受信すること（８０２）と、
前記待機タイマー値で初期化された待機タイマーを開始すること（８０４）と、
前記待機タイマーが稼働している間にターゲットセルに対してセル再選択を実施すること（８０６）と、
前記待機タイマーが稼働している間に前記ターゲットセルに対して前記セル再選択を実施すると、前記ターゲットセル中の保留中のアクセス階層（ＡＳ）レイヤプロシージャを再始動すること（８１０）と
を含む、方法。
【請求項１７】
上位レイヤイベントが発生したかどうかを決定すること（８０８）
をさらに含み、
前記ターゲットセル中の前記保留中のＡＳレイヤプロシージャを再始動すること（８１０）は、上位レイヤイベントが発生した場合に前記ターゲットセル中の前記保留中のＡＳレイヤプロシージャを再始動すること（８１０）を含む、
請求項１６に記載の方法。
【請求項１８】
上位レイヤイベントが発生した場合に前記保留中のＡＳレイヤプロシージャを廃棄すること（８１２）をさらに含む、請求項１７に記載の方法。
【請求項１９】
前記上位レイヤイベントがモバイル発信データまたはモバイル発信シグナリングである、請求項１７または１８に記載の方法。
【請求項２０】
前記保留中のＡＳレイヤプロシージャがＲＡＮベース通知エリア更新（ＲＮＡＵ）プロシージャである、請求項１６から１９のいずれか一項に記載の方法。
【請求項２１】
セルラー通信システムのための無線デバイスであって、前記無線デバイスは、
無線アクセスネットワーク（ＲＡＮ）ノードに、無線リソース制御（ＲＲＣ）再開要求を送信することと、
前記ＲＲＣ再開要求に応答して、前記ＲＡＮノードから、待機タイマー値を備えるＲＲＣ再開拒否メッセージを受信することと、
前記待機タイマー値で初期化された待機タイマーを開始することと、
前記待機タイマーが稼働している間にターゲットセルに対してセル再選択を実施することと、
前記待機タイマーが稼働している間に前記ターゲットセルに対して前記セル再選択を実施すると、前記ターゲットセル中の保留中のアクセス階層（ＡＳ）レイヤプロシージャを再始動することと
を行うように適応された、無線デバイス。
【請求項２２】
前記無線デバイスが、請求項１７から２０のいずれか一項に記載の方法を実施するようにさらに適応された、請求項２１に記載の無線デバイス。
【請求項２３】
セルラー通信システムのための無線デバイスであって、前記無線デバイスが、
無線フロントエンド回路と、
前記無線フロントエンド回路に関連付けられた処理回路と
を備え、前記処理回路は、前記無線デバイスに、
無線アクセスネットワーク（ＲＡＮ）ノードに、無線リソース制御（ＲＲＣ）再開要求を送信することと、
前記ＲＲＣ再開要求に応答して、前記ＲＡＮノードから、待機タイマー値を備えるＲＲＣ再開拒否メッセージを受信することと、
前記待機タイマー値で初期化された待機タイマーを開始することと、
前記待機タイマーが稼働している間にターゲットセルに対してセル再選択を実施することと、
前記待機タイマーが稼働している間に前記ターゲットセルに対して前記セル再選択を実施すると、前記ターゲットセル中の保留中のアクセス階層（ＡＳ）レイヤプロシージャを再始動することと
を行わせるように設定された、無線デバイス。
【請求項２４】
前記処理回路が、前記無線デバイスに、請求項１７から２０のいずれか一項に記載の方法を実施させるようにさらに設定された、請求項２３に記載の無線デバイス。
【請求項２５】
セルラー通信システムにおける無線デバイスの動作の方法であって、前記方法は、
無線アクセスネットワーク（ＲＡＮ）ノードに、無線リソース制御（ＲＲＣ）再開要求を送信すること（９００）と、
タイマーを開始すること（９０２）と、
前記タイマーが稼働している間にターゲットセルに対してセル再選択を実施すること（９０４）と、
前記タイマーが稼働している間に前記ターゲットセルに対して前記セル再選択を実施すると、前記ターゲットセル中の保留中のアクセス階層（ＡＳ）レイヤプロシージャを再始動すること（９０８）と
を含む、方法。
【請求項２６】
前記タイマーは、前記ＲＲＣ再開要求がその間に送信されるＲＲＣ再開プロシージャが始動すると開始されるタイマーである、請求項２５に記載の方法。
【請求項２７】
上位レイヤイベントが発生したかどうかを決定すること（９０６）
をさらに含み、
前記ターゲットセル中の前記保留中のＡＳレイヤプロシージャを再始動すること（９０８）は、上位レイヤイベントが発生した場合に前記ターゲットセル中の前記保留中のＡＳレイヤプロシージャを再始動すること（９０８）を含む、
請求項２５または２６に記載の方法。
【請求項２８】
上位レイヤイベントが発生した場合に前記保留中のＡＳレイヤプロシージャを廃棄すること（９１０）をさらに含む、請求項２７に記載の方法。
【請求項２９】
前記上位レイヤイベントがモバイル発信データまたはモバイル発信シグナリングである、請求項２７または２８に記載の方法。
【請求項３０】
前記保留中のＡＳレイヤプロシージャがＲＡＮベース通知エリア更新（ＲＮＡＵ）プロシージャである、請求項２５から２９のいずれか一項に記載の方法。
【請求項３１】
セルラー通信システムのための無線デバイスであって、前記無線デバイスは、
無線アクセスネットワーク（ＲＡＮ）ノードに、無線リソース制御（ＲＲＣ）再開要求を送信することと、
タイマーを開始することと、
前記タイマーが稼働している間にターゲットセルに対してセル再選択を実施することと、
前記タイマーが稼働している間に前記ターゲットセルに対して前記セル再選択を実施すると、前記ターゲットセル中の保留中のアクセス階層（ＡＳ）レイヤプロシージャを再始動することと
を行うように適応された、無線デバイス。
【請求項３２】
前記無線デバイスが、請求項２６から３０のいずれか一項に記載の方法を実施するようにさらに適応された、請求項３１に記載の無線デバイス。
【請求項３３】
セルラー通信システムのための無線デバイスであって、前記無線デバイスが、
無線フロントエンド回路と、
前記無線フロントエンド回路に関連付けられた処理回路と
を備え、前記処理回路は、前記無線デバイスに、
無線アクセスネットワーク（ＲＡＮ）ノードに、無線リソース制御（ＲＲＣ）再開要求を送信することと、
タイマーを開始することと、
前記タイマーが稼働している間にターゲットセルに対してセル再選択を実施することと、
前記タイマーが稼働している間に前記ターゲットセルに対して前記セル再選択を実施すると、前記ターゲットセル中の保留中のアクセス階層（ＡＳ）レイヤプロシージャを再始動することと
を行わせるように設定された、無線デバイス。
【請求項３４】
前記処理回路が、前記無線デバイスに、請求項２６から３０のいずれか一項に記載の方法を実施させるようにさらに設定された、請求項３３に記載の無線デバイス。
【発明の詳細な説明】
【技術分野】
【０００１】
関連出願
本出願は、その開示全体が参照により本明細書に組み込まれる、２０１８年５月１０日に出願された仮特許出願第６２／６６９，８２２号の利益を主張する。
【０００２】
本開示は、セルラー通信システムにおいて接続を再開することに関し、より詳細には、セルラー通信システムにおいて接続を再開することに関連付けられたユーザ機器（ＵＥ）挙動に関する。
【背景技術】
【０００３】
Ｌｏｎｇ  Ｔｅｒｍ  Ｅｖｏｌｕｔｉｏｎ（ＬＴＥ）における無線リソース制御（ＲＲＣ）接続再開
第３世代パートナーシッププロジェクト（３ＧＰＰ）ＬＴＥ規格リリース１３では、ＲＲＣ＿ＩＤＬＥと同様の中断状態（ｓｕｓｐｅｎｄｅｄ  ｓｔａｔｅ）でユーザ機器（ＵＥ）がネットワークによって中断されるための機構が導入されたが、ＵＥがアクセス階層（ＡＳ）コンテキストまたはＲＲＣコンテキストを記憶するという差異がある。これは、ゼロからＲＲＣ接続を確立する代わりに、ＲＲＣ接続を再開することによって、ＵＥが再びアクティブになりつつあるとき、シグナリングを低減することを可能にする。シグナリングを低減することは、いくつかの利益、すなわち、たとえばインターネットにアクセスするスマートフォンについての、レイテンシの低減と、ごくわずかなデータを送るマシン型デバイスについてのバッテリー消費量の低減につながるシグナリングの低減とを有し得る。
【０００４】
リリース１３ソリューションは、ＵＥに、ネットワークにＲＲＣ接続再開要求メッセージを送らせ、応答して、ネットワークからＲＲＣ接続再開を受信させることに基づく。ＲＲＣ接続再開は、暗号化されないが、完全性保護される。
【０００５】
新無線（Ｎｅｗ  Ｒａｄｉｏ：ＮＲ）における、および場合によってはＬＴＥリリース１５におけるＲＲＣ＿ＩＮＡＣＴＩＶＥ
３ＧＰＰにおける第５世代（５Ｇ）ＮＲに関する規格化された作業の一部として、ＮＲが、ＬＴＥリリース１３における中断状態と同様の特性をもつＲＲＣ＿ＩＮＡＣＴＩＶＥ状態をサポートするべきであることが決められた。ＲＲＣ＿ＩＮＡＣＴＩＶＥ状態は、別個のＲＲＣ状態であり、ＬＴＥの場合のようにＲＲＣ＿ＩＤＬＥの一部でないという点で、ＬＴＥ状態とはわずかに異なる特性を有する。加えて、コアネットワーク（ＣＮ）／無線アクセスネットワーク（ＲＡＮ）接続（ＮＧまたはＮ２インターフェース）は、ＬＴＥでは中断されたが、ＲＲＣ＿ＩＮＡＣＴＩＶＥについては保たれる。
【０００６】
図１は、ＮＲにおける可能な状態遷移を示す流れ図である。図１に図示されている状態の特性は、以下の通りである。
●  ＲＲＣ＿ＩＤＬＥ：
−  ＵＥ固有間欠受信（ＤＲＸ）が上位レイヤによって設定され得る。
−  ネットワーク設定に基づくＵＥ制御モビリティ。
−  ＵＥは、以下を行う。
・  ５Ｇ−システムアーキテクチャエボリューション一時モバイル加入者識別情報（Ｓ−ＴＭＳＩ）を使用して、ＣＮページングについてページングチャネルを監視する。
・  ネイバリングセル測定およびセル（再）選択を実施する。
・  システム情報を収集する。
●  ＲＲＣ＿ＩＮＡＣＴＩＶＥ：
−  ＵＥ固有ＤＲＸが、上位レイヤによってまたはＲＲＣレイヤによって設定され得る。
−  ネットワーク設定に基づくＵＥ制御モビリティ。
−  ＵＥはＡＳコンテキストを記憶する。
−  ＵＥは、以下を行う。
・  ５Ｇ−Ｓ−ＴＭＳＩを使用してＣＮページングについて、および非アクティブ無線ネットワーク一時識別子（Ｉ−ＲＮＴＩ）を使用してＲＡＮページングについて、ページングチャネルを監視する。
・  ネイバリングセル測定およびセル（再）選択を実施する。
・  周期的に、およびＲＡＮベース通知エリア外に移動するとき、ＲＡＮベース通知エリア更新を実施する。
・  システム情報を収集する。
●  ＲＲＣ＿ＣＯＮＮＥＣＴＥＤ：
−  ＵＥはＡＳコンテキストを記憶する。
−  ＵＥへの／からのユニキャストデータの転送。
−  下位レイヤにおいて、ＵＥは、ＵＥ固有ＤＲＸで設定され得る。
−  キャリアアグリゲーション（ＣＡ）をサポートするＵＥの場合、帯域幅の増加のための、特殊セル（ＳｐＣｅｌｌ：Ｓｐｅｃｉａｌ  Ｃｅｌｌ）とともにアグリゲートされた、１つまたは複数の２次セル（ＳＣｅｌｌ）の使用。
−  デュアルコネクティビティ（ＤＣ）をサポートするＵＥの場合、帯域幅の増加のための、マスタセルグループ（ＭＣＧ）とともにアグリゲートされた、１つの２次セルグループ（ＳＣＧ）の使用。
−  ネットワーク制御モビリティ、すなわち、ＮＲ内の、および拡張ユニバーサル地上ＲＡＮ（Ｅ−ＵＴＲＡＮ）への／からのハンドオーバ。
−  ＵＥは、以下を行う。
・  ページングチャネルを監視する。
・  共有データチャネルに関連付けられた制御チャネルを監視して、データがそれのためにスケジュールされるかどうかを決定する。
・  チャネル品質およびフィードバック情報を提供する。
・  ネイバリングセル測定および測定報告を実施する。
・  システム情報を収集する。
【０００７】
現在の再開プロシージャ
ＲＲＣ＿ＩＮＡＣＴＩＶＥにあるＵＥでは、以下の場合、ＲＲＣ接続再開プロシージャを実施する必要がある。
−  ＵＥがＲＡＮページングに応答しているとき、
−  ＵＥが、送るべきアップリンク（ＵＬ）データを有するとき、
−  ＵＥが非アクセス階層（ＮＡＳ）シグナリングを実施する必要があるとき、または
−  ＵＥが、ＡＳシグナリング（たとえば、周期的タイムアウトによるまたはモビリティによる、無線通知エリア更新（ＲＮＡＵ））を実施する必要があるとき。ＲＮＡＵがＲＡＮベース通知エリア更新と呼ばれることもあることに留意されたい。
上記のすべての場合において、ＵＥは、以下で説明されるように、再開プロシージャを始動する。再開の理由に応じて、異なる原因値が再開要求メッセージ中で使用される。
【０００８】
このプロシージャの目的は、（１つまたは複数の）シグナリング無線ベアラ（ＳＲＢ）と（１つまたは複数の）データ無線ベアラ（ＤＲＢ）とを再開することを含む、ＲＲＣ接続を再開すること、または、ＲＡＮベース通知エリア（ＲＮＡ）更新（すなわち、ＲＮＡＵ）を実施することである。再開プロシージャは、図２〜図６に関して図示され、以下で説明される。
2021522743.tif 000003
2021522743.tif 000004
2021522743.tif 000005
2021522743.tif 000006
【発明の概要】
【０００９】
無線アクセスネットワーク（ＲＡＮ）ベース通知エリア更新（ＲＮＡＵ）によってトリガされた再開要求の拒否の後の、または再開中のセル再選択時の、無線デバイス（たとえば、ユーザ機器（ＵＥ））挙動に関係するシステムおよび方法が、本明細書で開示される。いくつかの実施形態では、セルラー通信システムにおける無線デバイスの動作の方法が、ＲＡＮノードに、ＲＮＡＵによってトリガされた無線リソース制御（ＲＲＣ）再開要求を送信することと、ＲＲＣ再開要求に応答して、ＲＡＮノードから、待機タイマー値を備えるＲＲＣ再開拒否メッセージを受信することとを含む。本方法は、待機タイマー値で初期化された待機タイマーを開始することと、待機タイマーが満了したときにＲＮＡＵを送ることとをさらに含む。
【００１０】
いくつかの実施形態では、本方法は、待機タイマーが稼働している間にＲＡＮページングおよびコアネットワーク（ＣＮ）ページングを監視することをさらに含む。いくつかの実施形態では、本方法は、待機タイマーが稼働している間にＲＡＮページングまたはＣＮページングを受信すると、ＲＡＮページングまたはＣＮページングに応答することをさらに含む。
【００１１】
いくつかの実施形態では、ＲＮＡＵは周期的ＲＮＡＵである。いくつかの他の実施形態では、ＲＮＡＵはモビリティによるものである。
【００１２】
セルラー通信システムのための無線デバイスの実施形態も開示される。いくつかの実施形態では、セルラー通信システムのための無線デバイスが、ＲＡＮノードに、ＲＮＡＵによってトリガされたＲＲＣ再開要求を送信することと、ＲＲＣ再開要求に応答して、ＲＡＮノードから、待機タイマー値を備えるＲＲＣ再開拒否メッセージを受信することとを行うように適応される。本無線デバイスは、待機タイマー値で初期化された待機タイマーを開始することと、待機タイマーが満了したときにＲＮＡＵを送ることとを行うようにさらに適応される。
【００１３】
いくつかの実施形態では、本無線デバイスは、待機タイマーが稼働している間にＲＡＮページングおよびＣＮページングを監視するようにさらに適応される。いくつかの実施形態では、本無線デバイスは、待機タイマーが稼働している間にＲＡＮページングまたはＣＮページングを受信すると、ＲＡＮページングまたはＣＮページングに応答するようにさらに適応される。
【００１４】
いくつかの実施形態では、ＲＮＡＵは周期的ＲＮＡＵである。いくつかの他の実施形態では、ＲＮＡＵはモビリティによるものである。
【００１５】
いくつかの実施形態では、セルラー通信システムのための無線デバイスが、無線フロントエンド回路と、無線フロントエンド回路に関連付けられた処理回路とを備える。処理回路は、本無線デバイスに、ＲＡＮノードに、ＲＮＡＵによってトリガされたＲＲＣ再開要求を送信することと、ＲＲＣ再開要求に応答して、ＲＡＮノードから、待機タイマー値を備えるＲＲＣ再開拒否メッセージを受信することとを行わせるように設定される。処理回路は、本無線デバイスに、待機タイマー値で初期化された待機タイマーを開始することと、待機タイマーが満了したときにＲＮＡＵを送ることとを行わせるようにさらに設定される。
【００１６】
いくつかの実施形態では、処理回路は、本無線デバイスに、待機タイマーが稼働している間にＲＡＮページングおよびＣＮページングを監視させるようにさらに設定される。いくつかの実施形態では、処理回路は、本無線デバイスに、待機タイマーが稼働している間にＲＡＮページングまたはＣＮページングを受信すると、ＲＡＮページングまたはＣＮページングに応答させるようにさらに設定される。
【００１７】
いくつかの実施形態では、ＲＮＡＵは周期的ＲＮＡＵである。いくつかの他の実施形態では、ＲＮＡＵはモビリティによるものである。
【００１８】
いくつかの実施形態では、セルラー通信システムにおける無線デバイスの動作の方法が、ＲＡＮノードに、ＲＲＣ再開要求を送信することと、ＲＲＣ再開要求に応答して、ＲＡＮノードから、待機タイマー値を備えるＲＲＣ再開拒否メッセージを受信することとを含む。本方法は、待機タイマー値で初期化された待機タイマーを開始することと、待機タイマーが稼働している間にターゲットセルに対してセル再選択を実施することとをさらに含む。本方法は、待機タイマーが稼働している間にターゲットセルに対してセル再選択を実施すると、ターゲットセル中の保留中のアクセス階層（ＡＳ）レイヤプロシージャを再始動することをさらに含む。
【００１９】
いくつかの実施形態では、本方法は、上位レイヤイベントが発生したかどうかを決定することをさらに含む。ターゲットセル中の保留中のＡＳレイヤプロシージャを再始動することは、上位レイヤイベントが発生した場合にターゲットセル中の保留中のＡＳレイヤプロシージャを再始動することを含む。いくつかの実施形態では、本方法は、上位レイヤイベントが発生した場合に保留中のＡＳレイヤプロシージャを廃棄することをさらに含む。いくつかの実施形態では、上位レイヤイベントはモバイル発信（ｍｏｂｉｌｅ  ｏｒｉｇｉｎａｔｉｎｇ）データまたはモバイル発信シグナリングである。
【００２０】
いくつかの実施形態では、保留中のＡＳレイヤプロシージャはＲＮＡＵプロシージャである。
【００２１】
いくつかの実施形態では、セルラー通信システムのための無線デバイスが、ＲＡＮノードに、ＲＲＣ再開要求を送信することと、ＲＲＣ再開要求に応答して、ＲＡＮノードから、待機タイマー値を備えるＲＲＣ再開拒否メッセージを受信することとを行うように適応される。本無線デバイスは、待機タイマー値で初期化された待機タイマーを開始することと、待機タイマーが稼働している間にターゲットセルに対してセル再選択を実施することとを行うようにさらに適応される。本無線デバイスは、待機タイマーが稼働している間にターゲットセルに対してセル再選択を実施すると、ターゲットセル中の保留中のＡＳレイヤプロシージャを再始動するようにさらに適応される。
【００２２】
いくつかの実施形態では、セルラー通信システムのための無線デバイスが、無線フロントエンド回路と、無線フロントエンド回路に関連付けられた処理回路とを備える。処理回路は、本無線デバイスに、ＲＡＮノードに、ＲＲＣ再開要求を送信することと、ＲＲＣ再開要求に応答して、ＲＡＮノードから、待機タイマー値を備えるＲＲＣ再開拒否メッセージを受信することとを行わせるように設定される。処理回路は、本無線デバイスに、待機タイマー値で初期化された待機タイマーを開始することと、待機タイマーが稼働している間にターゲットセルに対してセル再選択を実施することとを行わせるようにさらに設定される。処理回路は、本無線デバイスに、待機タイマーが稼働している間にターゲットセルに対してセル再選択を実施すると、ターゲットセル中の保留中のＡＳレイヤプロシージャを再始動させるようにさらに設定される。
【００２３】
いくつかの実施形態では、セルラー通信システムにおける無線デバイスの動作の方法が、ＲＡＮノードに、ＲＲＣ再開要求を送信することと、タイマーを開始することと、タイマーが稼働している間にターゲットセルに対してセル再選択を実施することとを含む。本方法は、待機タイマーが稼働している間にターゲットセルに対してセル再選択を実施すると、ターゲットセル中の保留中のＡＳレイヤプロシージャを再始動することをさらに含む。
【００２４】
いくつかの実施形態では、タイマーは、ＲＲＣ再開要求がその間に送信されるＲＲＣ再開プロシージャが始動すると開始されるタイマーである。
【００２５】
いくつかの実施形態では、本方法は、上位レイヤイベントが発生したかどうかを決定することをさらに含む。ターゲットセル中の保留中のＡＳレイヤプロシージャを再始動することは、上位レイヤイベントが発生した場合にターゲットセル中の保留中のＡＳレイヤプロシージャを再始動することを含む。いくつかの実施形態では、本方法は、上位レイヤイベントが発生した場合に保留中のＡＳレイヤプロシージャを廃棄することをさらに含む。いくつかの実施形態では、上位レイヤイベントはモバイル発信データまたはモバイル発信シグナリングである。
【００２６】
いくつかの実施形態では、保留中のＡＳレイヤプロシージャはＲＮＡＵプロシージャである。
【００２７】
いくつかの実施形態では、セルラー通信システムのための無線デバイスが、ＲＡＮノードに、ＲＲＣ再開要求を送信することと、タイマーを開始することと、タイマーが稼働している間にターゲットセルに対してセル再選択を実施することとを行うように適応される。本無線デバイスは、待機タイマーが稼働している間にターゲットセルに対してセル再選択を実施すると、ターゲットセル中の保留中のＡＳレイヤプロシージャを再始動するようにさらに適応される。
【００２８】
いくつかの実施形態では、セルラー通信システムのための無線デバイスが、無線フロントエンド回路と、無線フロントエンド回路に関連付けられた処理回路とを備える。処理回路は、本無線デバイスに、ＲＡＮノードに、ＲＲＣ再開要求を送信することと、タイマーを開始することと、タイマーが稼働している間にターゲットセルに対してセル再選択を実施することとを行わせるように設定される。処理回路は、本無線デバイスに、待機タイマーが稼働している間にターゲットセルに対してセル再選択を実施すると、ターゲットセル中の保留中のＡＳレイヤプロシージャを再始動させるようにさらに設定される。
【００２９】
本明細書に組み込まれ、本明細書の一部をなす添付の図面は、本開示のいくつかの態様を示し、説明とともに本開示の原理について解説するように働く。
【図面の簡単な説明】
【００３０】
【図１】第３世代パートナーシッププロジェクト（３ＧＰＰ）新無線（ＮＲ）における可能な状態遷移を示す流れ図である。
【図２】成功した無線リソース制御（ＲＲＣ）接続再開の図である。
【図３】ＲＲＣ接続確立への成功したＲＲＣ接続再開フォールバックの図である。
【図４】成功したＲＲＣ接続再開、その後に続くネットワーク解放の図である。
【図５】成功したＲＲＣ接続再開、その後に続くネットワーク中断の図である。
【図６】ネットワークによって拒否される（ｎｅｔｗｏｒｋ  ｒｅｊｅｃｔｅｄ）ＲＲＣ接続再開の図である。
【図７】本開示のいくつかの実施形態による、ユーザ機器（ＵＥ）が、ネットワークによって拒否されるＲＲＣ接続再開をトリガした無線アクセスネットワーク（ＲＡＮ）ベース通知エリア更新（ＲＮＡＵ）を、待機タイマーが満了するまで保留中と見なし、待機タイマーが満了したときにその保留中のＲＮＡＵを送る、ＵＥおよびＲＡＮノード（たとえば、基地局）の動作を示す図である。
【図８】本開示のいくつかの実施形態による、ＵＥが、ＲＲＣ再開要求に応答してＲＲＣ拒否を受信した後の待機期間中にセル再選択を実施し、新しいセル中の中断しているアクセス階層（ＡＳ）プロシージャを再始動し得る、ＵＥおよびＲＡＮノード（たとえば、基地局）の動作を示す図である。
【図９】本開示のいくつかの実施形態による、ＵＥが、ＡＳレイヤによってトリガされたＲＲＣ再開要求を送信した後に、ただし、応答がネットワークから受信される前に、セル再選択を実施し、新しいセル中のＡＳプロシージャを再始動し得る、ＵＥおよびＲＡＮノード（たとえば、基地局）の動作を示す図である。
【図１０】本開示の実施形態が実装され得る無線ネットワークの一例を示す図である。
【図１１】任意の２つのネットワーク機能（ＮＦ）間の対話がポイントツーポイント参照ポイント／インターフェースによって表される、コアＮＦから組み立てられた第５世代（５Ｇ）ネットワークアーキテクチャとして表される無線通信システムを示す図である。
【図１２】図１１の５Ｇネットワークアーキテクチャにおいて使用されるポイントツーポイント参照ポイント／インターフェースの代わりに、制御プレーン中でＮＦ間でサービスベースインターフェースを使用する５Ｇネットワークアーキテクチャを示す図である。
【図１３】本開示の実施形態が実装され得るＵＥの一例を示す図である。
【図１４】本開示のいくつかの実施形態によって実装される機能が仮想化され得る、仮想化環境を示す概略ブロック図である。
【図１５】本開示の実施形態が実装され得る例示的な通信システムを示す図である。
【図１６】図１５のＵＥ、基地局、およびホストコンピュータの例示的な実装形態を示す図である。
【図１７】図１５および図１６のものなど、通信システムにおいて実装される方法を示すフローチャートである。
【図１８】図１５および図１６のものなど、通信システムにおいて実装される方法を示すフローチャートである。
【図１９】図１５および図１６のものなど、通信システムにおいて実装される方法を示すフローチャートである。
【図２０】図１５および図１６のものなど、通信システムにおいて実装される方法を示すフローチャートである。
【発明を実施するための形態】
【００３１】
以下に記載される実施形態は、当業者が本実施形態を実践することができるようにするための情報を表し、本実施形態を実践する最良の形態を示す。添付の図面に照らして以下の説明を読むと、当業者は、本開示の概念を理解し、本明細書では特に扱われないこれらの概念の適用例を認識されよう。これらの概念および適用例は、本開示の範囲内に入ることを理解されたい。
【００３２】
現在、特に第３世代パートナーシッププロジェクト（３ＧＰＰ）新無線（ＮＲ）において、ただし場合によっては、ＬＴＥ仕様のリリース１５またはその後のリリースを実装する３ＧＰＰ  Ｌｏｎｇ  Ｔｅｒｍ  Ｅｖｏｌｕｔｉｏｎ（ＬＴＥ）ネットワークなど、他のタイプのネットワークにおいても、無線リソース制御（ＲＲＣ）再開に関する（１つまたは複数の）ある課題が存在する。上記で説明されたように、発生し、再開プロシージャの失敗につながり得る、いくつかのイベントがある。特に、以下のケースが発生し得る。
１．ユーザ機器（ＵＥ）が、再開メッセージを受信する前に（タイマーＴ３１９が稼働している間に）セル再選択を実施する、および
２．ＵＥが、拒否メッセージを受信し、待機タイマーＴ３０２を開始する。
【００３３】
ケース１では、ＵＥがターゲットセル中で別のＲＲＣ再開プロシージャを実施するべきであることが現在述べられている。これに関する問題は、再開のための条件がターゲットセルにおいて異なるケースがあり得、その場合、それらのケースにおいて再開プロシージャを再始動することがうまくいかないことである。例示的なケースは、以下を含む。
・  ＵＥが、ＵＥが現在設定されているトラッキングエリア（ＴＡ）リスト上にない新しいＴＡに入ること。このケースでは、ＲＲＣ再開プロシージャは、ＵＥが、ＴＡリストを更新するために、代わりに非アクセス階層（ＮＡＳ）シグナリングを実施する必要があるので、失敗し得る。
・  ＵＥが、ＮＡＳレイヤによってアクセスすることを禁止されているセル（たとえば、禁止されているＴＡ）に入ること。このケースでは、ＲＲＣ再開は同じく失敗するか、または他の問題点につながり得る。
【００３４】
ケース２では、再開がより高いレイヤによってトリガされた場合には、ＵＥがより高いレイヤに通知するべきであることが現在述べられているが、再開がＲＲＣ（アクセス階層（ＡＳ））レイヤによってトリガされた場合にＵＥが何を行うべきであるかは、規定されていない。ここで対処される必要がある１つの特定の問題は、ＵＥがセル再選択を実施するときに何が起こるかである。
【００３５】
本開示のいくつかの態様およびそれらの実施形態は、これらまたは他の課題のソリューションを提供し得る。本明細書で開示される態様は、ＵＥが、あるセル中での再開に関して失敗し、別のセルに対して再選択するケースをハンドリングするために、ＵＥにおける新しい機構を導入する。ソリューションは、タイマーＴ３１９が稼働している間にセル再選択が行われるケースと、ＵＥが拒否メッセージを受信し、およびタイマーＴ３０２が稼働している後に、セル再選択が行われるケースの両方をカバーする。
【００３６】
初期の再開がＡＳレイヤ（ＲＲＣ）によってトリガされたケースでは、ＵＥは、セル再選択の結果として、またはセル再選択に至る時間の間に、ＮＡＳレイヤイベントが発生したかどうかを、最初にチェックする。
１．上位レイヤイベントが発生した場合、ＵＥは、保留中のＡＳレベル再開（たとえば、無線アクセスネットワーク（ＲＡＮ）ベース通知エリア更新（ＲＮＡＵ））を廃棄し、上位レイヤのためのトリガに基づいて新しいＡＳレベル再開をトリガする。
２．上位レイヤイベントが発生しなかった場合、ＵＥは、ターゲットセル中でＡＳレベル再開を再始動する。
【００３７】
可能な上位レイヤイベントは、以下を含み得る。
・  アップリンク（ＵＬ）データの到達、
・  ＮＡＳシグナリング（たとえば、モビリティによるＵＥ  ＮＡＳ再登録）の到達、あるいは
・  ＵＥがコアネットワーク（ＣＮ）またはＲＡＮページングに応答すること。
【００３８】
初期の再開が上位レイヤによってトリガされたケースでは、ＵＥは、セル再選択時に、ＵＥが接続を再開することに失敗したことを上位レイヤに知らせる。これは、上位レイヤを、再開を再トリガするようにトリガし、これは、上記のケース２と同様の挙動につながる。
【００３９】
いくつかの実施形態は、（１つまたは複数の）以下の技術的利点のうちの１つまたは複数を提供し得る。提案されるソリューションを使用することによって、ＮＡＳまたは上位レイヤ機構が、ＡＳ始動の再開よりも常に優先することを保証することが可能である。これは、以下のものなどのエラーケースを回避する。
・  ＵＥが、ＵＥがアクセスすることを可能にされていないエリア中で再開を実施すること。
・  ＵＥが、ＵＥ  ＣＮ登録エリア外にあるエリア中でＡＳ再開（たとえば、ＲＮＡＵ）を実施すること。
これらのエラーケースを回避することは、それがサービス割込みを回避し、ネットワークリソースへの無許可のアクセスを回避するので、有益である。
【００４０】
本明細書で開示される態様は、概して、ＮＲにおいてＲＲＣ＿ＩＮＡＣＴＩＶＥ  ＵＥによって実施されるアクションとして説明される。本開示は、以下のものなど、追加のケースにも適用可能であることを理解されたい。
・  プロシージャがＮＲの代わりにＬＴＥにおいて行われる、すなわち、ＬＴＥ  ＲＲＣ＿ＩＮＡＣＴＩＶＥ  ＵＥの場合の、すべての前のケース。
・  たとえば、同じＣＮ（５Ｇコアネットワーク）に接続されたＬＴＥとＮＲとの間の、ＲＲＣ＿ＩＮＡＣＴＩＶＥにおける無線アクセス技術（ＲＡＴ）間プロシージャ。
【００４１】
次に、本開示のいくつかの特定の実施形態のより詳細な説明が提供される。
【００４２】
１  ＲＲＣ再開拒否を受信したときのＵＥ挙動
ＲＲＣ再開要求を送ると、ＵＥが、待機タイマーをもつＲＲＣ拒否を受信し、ＲＲＣ＿ＩＮＡＣＴＩＶＥにとどまり得ることが、３ＧＰＰにおいて前に同意された。
【００４３】
ＲＲＣ拒否を受信した後に、ＵＥは、待機タイマーの満了時に、および待機タイマーが稼働している間のセル再選択時に、再開を介して、ネットワークに接触する必要がある。接続制御に関するＴＰの最新バージョンでは、それは、ＲＲＣ拒否の受信に関係する、以下のさらなる検討が必要（ＦＦＳ：Ｆｏｒ  Ｆｕｔｕｒｅ  Ｓｔｕｄｙ）な項目によって反映される。
・  編集者の注：ＦＦＳ  拒否の場合をどのようにハンドリングするか。
・  編集者の注：ＦＦＳ  ＲＲＣ拒否を受信したときの追加のＵＥアクション、たとえばＴ３８０ハンドリング、ＳＲＢ１中断など。
【００４４】
この説明は、これらおよび他のＦＦＳ項目に対処する。たとえば、待機タイマーが稼働している間のセル再選択時のアクション、および異なるケース（たとえば、モビリティＲＮＡＵ、周期的ＲＮＡＵ、ＵＬデータ、トラッキングエリア更新など）についての待機タイマーの満了時のアクションが、提案される。
【００４５】
ＮＲにおける接続制御に関する現在のＴＰでは、以下は、現在、ＲＲＣ拒否メッセージの受信に関してキャプチャされる。
2021522743.tif 000007
【００４６】
ＬＴＥの場合のように、接続制御に関するテキスト提案（「ＴＰ」）の現在のバージョンは、少なくともＵＬデータおよび登録エリア更新のケースが、ＲＲＣへのより高いレイヤの要求としてモデル化されると仮定する。次いで、上記で示されたように、上位レイヤ（ＵＬデータまたは登録エリア更新）によってトリガされたＲＲＣ再開要求に応答してＲＲＣ拒否を受信すると、ＵＥは、より高いレイヤが、待機タイマーが満了するかまたはセル再選択が実施されるまでプロシージャを保留中にすることができるように、ＲＲＣ接続を再開することに失敗したことについて上位レイヤに知らせる。待機タイマーＴ３０２のハンドリングは、次いで、ＡＳによってハンドリングされ、満了時に、ＡＳは、ＲＲＣ再開要求を再びトリガすることができることをより高いレイヤに通知する。
【００４７】
ＵＥが拒否されたことを上位レイヤに知らせることによって、上位レイヤは、待機タイマーＴ３０２が満了したときに再開を再始動することができる。このケースでは、保留中のＲＲＣ再開要求がある必要がない。
【００４８】
ＮＲでは、より高いレイヤによって再開が要求されるこのケースに加えて、再開要求が、以下のケースにおいてもＡＳレイヤによって要求され得る。
・  再開が、周期的ＲＮＡＵによってトリガされ待機時間を伴って拒否される、および
・  再開が、モビリティＲＮＡＵによってトリガされ待機時間を伴って拒否される。
【００４９】
１．１  周期的ＲＮＡＵ
周期的ＲＮＡＵは、周期的ＲＮＡＵタイマー（Ｔ３８０）の満了時にトリガされ、その値は、中断設定をもつＲＲＣ解放メッセージ中で提供され得る。ネットワークは、ネットワークが、ＵＥが去った場合にネットワーク側においてＵＥコンテキストをクリーンアップすべきかどうかを知るために、周期的ＲＮＡＵを期待する。しかしながら、ＲＲＣ拒否がＳＲＢ０上で送信されるとき、ＵＥは、所与のノードがＵＥコンテキストをフェッチおよび／または更新することなしに拒否を送ることができるので、ネットワークが通知されたか否かを確信することができない。したがって、１つのソリューションは、周期的ＲＮＡＵを保留中と見なし、待機タイマーが満了したとき、その周期的ＲＮＡＵを送ることである。これは、場合によっては、別のノードによって拒否される代わりに、ＵＥが去った場合にＵＥコンテキストをクリーンアップするためにネットワークを遅延させ得る。しかしながら、待機タイマー値が短い（１分未満である）ことを考慮すると、ネットワークが周期的ＲＮＡＵをより長い間待つことは、あまり問題にならず、そうでない場合でも、ネットワークコンテキストは、ＵＥがＲＮＡＵを実施すると、いずれにせよ同期される。
【００５０】
１．２  モビリティＲＮＡＵ
モビリティＲＮＡＵは、ＵＥが、その設定されたＲＡＮベース通知エリア（ＲＮＡ）に属していない新しいセルに入ったとき、トリガされる。ネットワークは、ネットワークがＵＥを効率的にページングするべきであるセルをネットワークが知るように、そのイベントについて知らされるべきである。しかしながら、ＵＥが新しいＲＮＡに入り、ＲＮＡ更新を実施することを試みる場合、およびネットワークが、待機タイマーが稼働している間に、待機タイマーで要求を拒否する場合、ＵＥは、たいがい、ＲＡＮページングを介して到達されない。しかしながら、全体的に、これは極めてまれなケースであり、ネットワークは、ＲＮＡ更新に優先度を付けることを試みるべきである。ＵＥがまた、ＲＡＮページングをリッスンし続ける場合、ＲＮＡ中でＵＥをページングすることに失敗したＲＡＮノードが周囲のエリア中でページングすることが、可能であり得る。ＵＥは、ＣＮページングをもリッスンする。
【００５１】
１．３  概要
上記のセクション１．１および１．２の態様を要約すると、以下のようになる。
・  ＲＮＡＵ（周期的またはモビリティ）によってトリガされたＲＲＣ再開要求に応答して待機時間をもつＲＲＣ拒否を受信すると、ＵＥは、待機タイマーを開始する。
・  ＲＮＡＵ（周期的またはモビリティ）によってトリガされたＲＲＣ再開要求に応答して待機時間をもつＲＲＣ拒否を受信した後の（同じセル中での）待機タイマーの満了時に、ＵＥは、保留中のＲＮＡＵを送る。
・  待機期間中に、ＵＥは、ＲＡＮおよびＣＮページングを監視し続け、ＲＡＮおよびＣＮページングがページングされる場合に応答するべきである。
【００５２】
図７は、上記で説明された実施形態の態様のうちの少なくともいくつかによる、ＵＥおよびＲＡＮノード（たとえば、たとえばＮＲ基地局（ｇＮＢ）など、基地局）の動作を示す。示されているように、ＵＥは、ＲＮＡＵ（周期的またはモビリティ）によってトリガされたＲＲＣ再開要求を送信する。（ステップ７００）。ＲＡＮノードは、ＲＲＣ再開要求を受信し、応答して、待機時間をもつＲＲＣ拒否をＵＥに送信する（ステップ７０２）。待機時間をもつＲＲＣ拒否メッセージを受信すると、ＵＥは、ＲＲＣ拒否中に含まれる待機時間にセットされた待機タイマーを開始する（ステップ７０４）。待機タイマーが稼働している間に、ＵＥは、ＲＮＡＵを保留中と見なす。いくつかの実施形態では、待機タイマーが稼働している間に（すなわち、待機期間中に）、ＵＥは、ＲＡＮおよびＣＮページングを監視し続け、ページングされる場合に応答する（ステップ７０６）。待機タイマーが満了したとき、ＵＥは、保留中のＲＮＡＵをＲＡＮノードに送る（ステップ７０８）。言い換えれば、ＵＥは、保留中のＲＮＡＵによってトリガされたＲＲＣ接続再開を再び試行し、ＲＲＣ接続再開が成功したと仮定すると、ＵＥは、ＲＮＡＵをネットワークに送る。
【００５３】
２．  Ｔ３０２（待機タイマー）が稼働している間のセル再選択時のＵＥ挙動
ＬＴＥでは、待機タイマーは、セルが過負荷である場合に後続の試行を回避するためのやり方として、ＲＲＣ拒否中でＵＥに提供される。したがって、セル再選択時に、待機タイマーは停止され、ＵＥは、セルが他の理由で規制されない場合にそれに再びアクセスすることが可能であるべきである。
【００５４】
ＬＴＥでは、再開要求は、より高いレイヤからＡＳレイヤへの要求としてモデル化される。ＲＲＣ再開要求に応答して待機時間をもつＲＲＣ拒否を受信すると、ＵＥは、より高いレイヤに知らせ、待機タイマーを開始する。より高いレイヤは、待機タイマーが満了したときまたはセル再選択が行われたときのいずれかに、規制緩和について知らされる。次いで、より高いレイヤは、ＡＳへの保留中の再開要求を再びトリガすることができる。
【００５５】
ＮＲでは、上位レイヤによってトリガされた再開要求（たとえば、ｍｏ−ｄａｔａ、ｍｏ−ｓｉｇｎａｌｉｎｇ）について同じ挙動を適用することが提案される。上位レイヤのみが、上位レイヤプロシージャがセル再選択後に続くべきであるか否かを知る（たとえば、ＵＥは、ＮＡＳレベルでターゲットセルにアクセスすることを規制され得る）。したがって、これは、上位レイヤによってトリガされたＲＲＣ再開要求に応答して待機時間をもつＲＲＣ拒否を受信した後、待機タイマーが稼働している間のセル再選択時に、ＲＡＮレイヤが、規制が緩和されることを上位レイヤに知らせることを意味する。
【００５６】
２．１  モビリティＲＮＡＵまたは周期的ＲＮＡＵ
ＡＳレイヤ（たとえば、ＲＮＡＵ）によってトリガされた再開要求では、待機タイマーが稼働している間のセル再選択のケースをハンドリングすることは、ＡＳレイヤの責任である。これは、上位レイヤプロシージャが（たとえば、セル再選択により、または待機時間中に）トリガされなかった場合、ＡＳレイヤがＡＳレイヤプロシージャを保留中と見なすべきであり、セル再選択後に再始動するべきであることを意味する。これは、待機タイマーが稼働している間のセル再選択時に、ＵＥが、上位レイヤイベント（たとえば、ｍｏ−ｄａｔａ、ｍｏ−ｓｉｇｎａｌｉｎｇ）が発生しなかったと仮定すると、新しいセル中の保留中のＡＳレイヤプロシージャ（たとえば、ＲＮＡＵ）を再始動することを意味する。
【００５７】
何らかの上位レイヤイベントが発生した場合、待機タイマーが稼働している間のセル再選択時に、ＵＥが、上位レイヤイベント（たとえば、ｍｏ−ｄａｔａ、ｍｏ−ｓｉｇｎａｌｉｎｇ）が発生した場合、保留中のＡＳレイヤプロシージャ（たとえば、ＲＮＡＵ）を廃棄することが提案される。
【００５８】
図８は、上記で説明された実施形態の態様のうちの少なくともいくつかによる、ＵＥおよびＲＡＮノード（たとえば、たとえばｇＮＢなど、基地局）の動作を示す。示されているように、ＵＥは、ＲＲＣ再開要求を送信する（ステップ８００）。ＲＡＮノードは、ＲＲＣ再開要求を受信し、応答して、待機時間をもつＲＲＣ拒否をＵＥに送信する（ステップ８０２）。待機時間をもつＲＲＣ拒否メッセージを受信すると、ＵＥは、ＲＲＣ拒否中に含まれる待機時間にセットされた待機タイマーを開始する（ステップ８０４）。待機タイマーが稼働している間に、ＵＥは、新しい（すなわち、ターゲット）セルに対してセル再選択を実施する（ステップ８０６）。待機タイマーが稼働している間に新しいセルに対してセル再選択を実施すると、ＵＥは、新しいセル中の保留中のＡＳレイヤプロシージャ（たとえば、ＲＮＡＵ）を再始動し得る。より詳細には、いくつかの実施形態では、ＵＥは、上位レイヤイベント（たとえば、ｍｏ−ｄａｔａ、ｍｏ−ｓｉｇｎａｌｉｎｇ）が発生したかどうかを決定する（ステップ８０８）。ＵＥは、上位レイヤイベント（たとえば、ｍｏ−ｄａｔａ、ｍｏ−ｓｉｇｎａｌｉｎｇ）が発生しなかった場合、新しいセル中の保留中のＡＳレイヤプロシージャを再始動する（ステップ８１０）。逆に、上位レイヤイベントが発生した場合、ＵＥは、保留中のＡＳレイヤプロシージャを廃棄する（８１２）。
【００５９】
３  （ＵＥが再開に対する応答メッセージを受信する前に）Ｔ３１９が稼働している間にセル再選択を実施するときのＵＥ挙動
現在、以下のＵＥ挙動が、Ｔ３１９が稼働している間のセル再選択のケースにおいて規定される。
2021522743.tif 000008
【００６０】
この挙動に関する問題は、再開がＮＡＳまたは上位レイヤによってあるいはセル再選択によってトリガされ得ることが考慮されないことである。代わりに、以下の挙動が提案される。
【００６１】
再開が上位レイヤによってトリガされたケースでは、ＵＥ中のＡＳレイヤは、Ｔ３１９が稼働している間のセル再選択時に、再開が失敗したことを上位レイヤに知らせる。随意に、ＵＥは、再開が失敗した理由（たとえば、セル再選択）を上位レイヤに提供し得る。このようにして、上位レイヤは、ターゲットセル中で再開プロシージャを再始動し得る。上位レイヤがこのプロセス中に変化することが可能である。たとえば、上位レイヤプロシージャが初期のモバイル発信された（Ｍｏｂｉｌｅ  Ｏｒｉｇｉｎａｔｅｄ）データであった場合、それは、ターゲットセルが現在のＵＥ  ＣＮ登録エリアに属しない場合、モバイル発信されたシグナリング（ＵＥ  ＣＮ登録エリア更新）に変化し得る。たとえば、ＵＥがターゲットセルにアクセスすることを可能にされていない（たとえば、禁止エリア（Ａｒｅａ  Ｆｏｒｂｉｄｄｅｎ）がＮＡＳレベルで設定された）場合、ＮＡＳレイヤがターゲットセル中で再開を再始動しないことを選ぶことも起こり得る。
【００６２】
再開がＡＳレベル（たとえば、ＲＮＡＵ）によってトリガされたケースでは、以下のＵＥ挙動が提案される。上位レイヤプロシージャが（たとえば、セル再選択により、またはセル再選択中に）トリガされなかった場合、ＡＳレイヤは、ＡＳレイヤプロシージャを保留中と見なし、セル再選択後に再始動するべきである。これは、Ｔ３１９が稼働している間のセル再選択時に、ＵＥが、上位レイヤイベント（たとえば、ｍｏ−ｄａｔａ、ｍｏ−ｓｉｇｎａｌｉｎｇ）が発生しなかったと仮定すると、新しいセル中の保留中のＡＳレイヤプロシージャ（たとえば、ＲＮＡＵ）を再始動することを意味する。いくつかの上位レイヤイベントが発生したケースでは、Ｔ３１９が稼働している間のセル再選択時に、ＵＥが、上位レイヤイベント（たとえば、ｍｏ−ｄａｔａ、ｍｏ−ｓｉｇｎａｌｉｎｇ）が発生した場合、保留中のＡＳレイヤプロシージャ（たとえば、ＲＮＡＵ）を廃棄することが提案される。
【００６３】
図９は、上記で説明された実施形態の態様のうちの少なくともいくつかによる、ＵＥおよびＲＡＮノード（たとえば、たとえばｇＮＢなど、基地局）の動作を示す。示されているように、ＵＥは、ＲＲＣ再開要求を送信し（ステップ９００）、タイマー（たとえば、タイマーＴ３１９）を開始する（ステップ９０２）。この例では、ＲＲＣ再開要求は、ＡＳレベルによって（たとえば、ＲＮＡＵプロシージャなど、ＡＳレベルプロシージャによって）トリガされる。タイマーＴ３１９は、ＲＲＣ接続再開プロシージャが始動すると開始されるタイマーである。タイマーが稼働している間に、ＵＥは、新しいセル（すなわち、ターゲットセル）に対してセル再選択を実施する（ステップ９０４）。言い換えれば、ＲＡＮノードから応答（たとえば、ＲＲＣ再開またはＲＲＣ拒否）を受信する前に、ＵＥは、新しいセルに対してセル再選択を実施する。タイマーが稼働している間にセル再選択を実施すると、ＵＥは、新しいセル中の保留中のＡＳレイヤプロシージャ（たとえば、ＲＮＡＵ）を再始動し得る。より詳細には、いくつかの実施形態では、ＵＥは、上位レイヤイベント（たとえば、ｍｏ−ｄａｔａ、ｍｏ−ｓｉｇｎａｌｉｎｇ）が発生したかどうかを決定する（ステップ９０６）。ＵＥは、上位レイヤイベント（たとえば、ｍｏ−ｄａｔａ、ｍｏ−ｓｉｇｎａｌｉｎｇ）が発生しなかった場合、新しいセル中の保留中のＡＳレイヤプロシージャを再始動する（ステップ９０８）。逆に、上位レイヤイベントが発生した場合、ＵＥは、保留中のＡＳレイヤプロシージャを廃棄する（９１０）。
【００６４】
本明細書で説明される主題は、任意の好適な構成要素を使用する任意の適切なタイプのシステムにおいて実装され得るが、本明細書で開示される実施形態は、図１０に示されている例示的な無線ネットワークなどの無線ネットワークに関して説明される。簡単のために、図１０の無線ネットワークは、ネットワーク１００６、ネットワークノード１０６０および１０６０Ｂ、ならびに無線デバイス（ＷＤ）１０１０、１０１０Ｂ、および１０１０Ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード１０６０およびＷＤ１０１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００６５】
無線ネットワークは、任意のタイプの通信、電気通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、汎欧州デジタル移動電話方式（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、ＬＴＥ、ならびに／あるいは他の好適な第２、第３、第４、または第５世代（２Ｇ、３Ｇ、４Ｇ、または５Ｇ）規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅ、および／またはＺｉｇＢｅｅ規格など、任意の他の適切な無線通信規格を実装し得る。
【００６６】
ネットワーク１００６は、１つまたは複数のバックホールネットワーク、コアネットワーク、インターネットプロトコル（ＩＰ）ネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、ＷＬＡＮ、有線ネットワーク、無線ネットワーク、メトロポリタンエリアネットワーク、およびデバイス間の通信を可能にするための他のネットワークを備え得る。
【００６７】
ネットワークノード１０６０およびＷＤ１０１０は、以下でより詳細に説明される様々な構成要素を備える。これらの構成要素は、無線ネットワークにおいて無線接続を提供することなど、ネットワークノードおよび／または無線デバイス機能を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００６８】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線ＡＰ）、基地局（ＢＳ）（たとえば、無線基地局、ノードＢ、拡張またはエボルブドノードＢ（ｅＮＢ）、およびｇＮＢ）を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなＲＲＵは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）またはＢＳコントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、モバイルスイッチングセンタ（ＭＳＣ）、モビリティ管理エンティティ（ＭＭＥ））、運用保守（Ｏ＆Ｍ）ノード、運用サポートシステム（ＯＳＳ）ノード、自己組織化ネットワーク（ＳＯＮ）ノード、測位ノード（たとえば、エボルブドサービングモバイルロケーションセンタ（Ｅ−ＳＭＬＣ））、および／あるいはドライブテスト最小化（ＭＤＴ）を含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００６９】
図１０では、ネットワークノード１０６０は、処理回路１０７０と、デバイス可読媒体１０８０と、インターフェース１０９０と、補助機器１０８４と、電源１０８６と、電力回路１０８７と、アンテナ１０６２とを含む。図１０の例示的な無線ネットワーク中に示されているネットワークノード１０６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能、および方法を実施するために必要とされるハードウェアおよび／またはソフトウェアの任意の好適な組合せを備えることを理解されたい。その上、ネットワークノード１０６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体１０８０は、複数の別個のハードドライブならびに複数のランダムアクセスメモリ（ＲＡＭ）モジュールを備え得る）。
【００７０】
同様に、ネットワークノード１０６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード１０６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード１０６０は、複数のＲＡＴをサポートするように設定され得る。そのような実施形態では、いくつかの構成要素は複製され得（たとえば、異なるＲＡＴのための別個のデバイス可読媒体１０８０）、いくつかの構成要素は再使用され得る（たとえば、同じアンテナ１０６２がＲＡＴによって共有され得る）。ネットワークノード１０６０は、ネットワークノード１０６０に統合された、たとえば、ＧＳＭ、広帯域符号分割多元接続（ＷＣＤＭＡ）、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード１０６０内の他の構成要素に統合され得る。
【００７１】
処理回路１０７０は、ネットワークノードによって提供されるものとして本明細書で説明される、任意の決定動作、計算動作、または同様の動作（たとえば、いくつかの取得動作）を実施するように設定される。処理回路１０７０によって実施されるこれらの動作は、処理回路１０７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００７２】
処理回路１０７０は、単体で、またはデバイス可読媒体１０８０などの他のネットワークノード１０６０構成要素と併せてのいずれかで、ネットワークノード１０６０機能を提供するように動作可能な、マイクロプロセッサ、コントローラ、マイクロコントローラ、中央処理ユニット（ＣＰＵ）、デジタル信号プロセッサ（ＤＳＰ）、特定用途向け集積回路（ＡＳＩＣ）、フィールドプログラマブルゲートアレイ（ＦＰＧＡ）、または任意の他の好適なコンピューティングデバイス、リソースのうちの１つまたは複数の組合せ、あるいはハードウェア、ソフトウェア、および／または符号化された論理の組合せを備え得る。たとえば、処理回路１０７０は、デバイス可読媒体１０８０に記憶された命令、または処理回路１０７０内のメモリに記憶された命令を実行し得る。そのような機能は、本明細書で説明される様々な無線特徴、機能、または利益のうちのいずれかを提供することを含み得る。いくつかの実施形態では、処理回路１０７０は、システムオンチップ（ＳＯＣ）を含み得る。
【００７３】
いくつかの実施形態では、処理回路１０７０は、無線周波数（ＲＦ）トランシーバ回路１０７２とベースバンド処理回路１０７４とのうちの１つまたは複数を含み得る。いくつかの実施形態では、ＲＦトランシーバ回路１０７２とベースバンド処理回路１０７４とは、別個のチップ（またはチップのセット）、ボード、または無線ユニットおよびデジタルユニットなどのユニット上にあり得る。代替実施形態では、ＲＦトランシーバ回路１０７２とベースバンド処理回路１０７４との一部または全部は、同じチップまたはチップのセット、ボード、あるいはユニット上にあり得る。
【００７４】
いくつかの実施形態では、ネットワークノード、基地局、ｅＮＢ、または他のそのようなネットワークデバイスによって提供されるものとして本明細書で説明される機能の一部または全部は、デバイス可読媒体１０８０、または処理回路１０７０内のメモリに記憶された命令を実行する処理回路１０７０によって実施され得る。代替実施形態では、機能の一部または全部は、ハードワイヤード様式などで、別個のまたは個別のデバイス可読媒体に記憶された命令を実行することなしに、処理回路１０７０によって提供され得る。それらの実施形態のいずれでも、デバイス可読記憶媒体に記憶された命令を実行するか否かにかかわらず、処理回路１０７０は、説明される機能を実施するように設定され得る。そのような機能によって提供される利益は、処理回路１０７０単独に、またはネットワークノード１０６０の他の構成要素に限定されないが、全体としてネットワークノード１０６０によって、ならびに／または概してエンドユーザおよび無線ネットワークによって、享受される。
【００７５】
デバイス可読媒体１０８０は、限定はしないが、永続記憶域、固体メモリ、リモートマウントメモリ、磁気媒体、光媒体、ＲＡＭ、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路１０７０によって使用され得る情報、データ、および／または命令を記憶する、任意の他の揮発性または不揮発性、非一時的デバイス可読および／またはコンピュータ実行可能メモリデバイスを備え得る。デバイス可読媒体１０８０は、コンピュータプログラム、ソフトウェア、論理、ルール、コード、表などのうちの１つまたは複数を含むアプリケーション、および／または処理回路１０７０によって実行されることが可能であり、ネットワークノード１０６０によって利用される、他の命令を含む、任意の好適な命令、データまたは情報を記憶し得る。デバイス可読媒体１０８０は、処理回路１０７０によって行われた計算および／またはインターフェース１０９０を介して受信されたデータを記憶するために使用され得る。いくつかの実施形態では、処理回路１０７０およびデバイス可読媒体１０８０は、統合されていると見なされ得る。
【００７６】
インターフェース１０９０は、ネットワークノード１０６０、ネットワーク１００６、および／またはＷＤ１０１０の間のシグナリングおよび／またはデータの有線または無線通信において使用される。示されているように、インターフェース１０９０は、たとえば有線接続上でネットワーク１００６との間でデータを送るおよび受信するための（１つまたは複数の）ポート／（１つまたは複数の）端末１０９４を備える。インターフェース１０９０は、アンテナ１０６２に結合されるか、またはいくつかの実施形態では、アンテナ１０６２の一部であり得る、無線フロントエンド回路１０９２をも含む。無線フロントエンド回路１０９２は、フィルタ１０９８と増幅器１０９６とを備える。無線フロントエンド回路１０９２は、アンテナ１０６２および処理回路１０７０に接続され得る。無線フロントエンド回路１０９２は、アンテナ１０６２と処理回路１０７０との間で通信される信号を調節するように設定され得る。無線フロントエンド回路１０９２は、無線接続を介して他のネットワークノードまたはＷＤに送出されるべきであるデジタルデータを受信し得る。無線フロントエンド回路１０９２は、デジタルデータを、フィルタ１０９８および／または増幅器１０９６の組合せを使用して適切なチャネルおよび帯域幅パラメータを有する無線信号に変換し得る。無線信号は、次いで、アンテナ１０６２を介して送信され得る。同様に、データを受信するとき、アンテナ１０６２は無線信号を集め得、次いで、無線信号は無線フロントエンド回路１０９２によってデジタルデータに変換される。デジタルデータは、処理回路１０７０に受け渡され得る。他の実施形態では、インターフェース１０９０は、異なる構成要素および／または構成要素の異なる組合せを備え得る。
【００７７】
いくつかの代替実施形態では、ネットワークノード１０６０は別個の無線フロントエンド回路１０９２を含まないことがあり、代わりに、処理回路１０７０は、無線フロントエンド回路を備え得、別個の無線フロントエンド回路１０９２なしでアンテナ１０６２に接続され得る。同様に、いくつかの実施形態では、ＲＦトランシーバ回路１０７２の全部または一部が、インターフェース１０９０の一部と見なされ得る。さらに他の実施形態では、インターフェース１０９０は、無線ユニット（図示せず）の一部として、１つまたは複数のポートまたは端末１０９４と、無線フロントエンド回路１０９２と、ＲＦトランシーバ回路１０７２とを含み得、インターフェース１０９０は、デジタルユニット（図示せず）の一部であるベースバンド処理回路１０７４と通信し得る。
【００７８】
アンテナ１０６２は、無線信号を送り、および／または受信するように設定された、１つまたは複数のアンテナまたはアンテナアレイを含み得る。アンテナ１０６２は、無線フロントエンド回路１０９２に結合され得、データおよび／または信号を無線で送信および受信することが可能な任意のタイプのアンテナであり得る。いくつかの実施形態では、アンテナ１０６２は、たとえば２ギガヘルツ（ＧＨｚ）から６６ＧＨｚの間の無線信号を送信／受信するように動作可能な１つまたは複数の全方向、セクタ、またはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、多入力多出力（ＭＩＭＯ）と呼ばれることがある。いくつかの実施形態では、アンテナ１０６２は、ネットワークノード１０６０とは別個であり得、インターフェースまたはポートを通してネットワークノード１０６０に接続可能であり得る。
【００７９】
アンテナ１０６２、インターフェース１０９０、および／または処理回路１０７０は、ネットワークノードによって実施されるものとして本明細書で説明される任意の受信動作および／またはいくつかの取得動作を実施するように設定され得る。任意の情報、データ、および／または信号が、ＷＤ、別のネットワークノード、および／または任意の他のネットワーク機器から受信され得る。同様に、アンテナ１０６２、インターフェース１０９０、および／または処理回路１０７０は、ネットワークノードによって実施されるものとして本明細書で説明される任意の送信動作を実施するように設定され得る。任意の情報、データ、および／または信号が、ＷＤ、別のネットワークノード、および／または任意の他のネットワーク機器に送信され得る。
【００８０】
電力回路１０８７は、電力管理回路を備えるか、または電力管理回路に結合され得、本明細書で説明される機能を実施するための電力を、ネットワークノード１０６０の構成要素に供給するように設定される。電力回路１０８７は、電源１０８６から電力を受信し得る。電源１０８６および／または電力回路１０８７は、それぞれの構成要素に好適な形式で（たとえば、各それぞれの構成要素のために必要とされる電圧および電流レベルにおいて）、ネットワークノード１０６０の様々な構成要素に電力を提供するように設定され得る。電源１０８６は、電力回路１０８７および／またはネットワークノード１０６０中に含まれるか、あるいは電力回路１０８７および／またはネットワークノード１０６０の外部にあるかのいずれかであり得る。たとえば、ネットワークノード１０６０は、電気ケーブルなどの入力回路またはインターフェースを介して外部電源（たとえば、電気コンセント）に接続可能であり得、それにより、外部電源は電力回路１０８７に電力を供給する。さらなる例として、電源１０８６は、電力回路１０８７に接続された、または電力回路１０８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【００８１】
ネットワークノード１０６０の代替実施形態は、本明細書で説明される機能、および／または本明細書で説明される主題をサポートするために必要な機能のうちのいずれかを含む、ネットワークノードの機能のいくつかの態様を提供することを担当し得る、図１０に示されている構成要素以外の追加の構成要素を含み得る。たとえば、ネットワークノード１０６０は、ネットワークノード１０６０への情報の入力を可能にするための、およびネットワークノード１０６０からの情報の出力を可能にするための、ユーザインターフェース機器を含み得る。これは、ユーザが、ネットワークノード１０６０のための診断、メンテナンス、修復、および他のアドミニストレーティブ機能を実施することを可能にし得る。
【００８２】
本明細書で使用されるＷＤは、ネットワークノードおよび／または他のＷＤと無線で通信することが可能な、そうするように設定された、構成された、および／または動作可能なデバイスを指す。別段に記載されていない限り、ＷＤという用語は、本明細書ではＵＥと互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップコンピュータ、ラップトップ組込み機器（ＬＥＥ）、ラップトップ搭載機器（ＬＭＥ）、スマートデバイス、無線顧客構内機器（ＣＰＥ：Ｃｕｓｔｏｍｅｒ  Ｐｒｅｍｉｓｅ  Ｅｑｕｉｐｍｅｎｔ）、車載無線端末デバイスなどを含む。ＷＤは、たとえばサイドリンク通信、Ｖ２Ｖ（Ｖｅｈｉｃｌｅ−ｔｏ−Ｖｅｈｉｃｌｅ）、Ｖ２Ｉ（Ｖｅｈｉｃｌｅ−ｔｏ−Ｉｎｆｒａｓｔｒｕｃｔｕｒｅ）、Ｖ２Ｘ（Ｖｅｈｉｃｌｅ−ｔｏ−Ｅｖｅｒｙｔｈｉｎｇ）のための３ＧＰＰ規格を実装することによって、Ｄ２Ｄ（ｄｅｖｉｃｅ−ｔｏ−ｄｅｖｉｃｅ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではマシン型通信（ＭＴＣ）デバイスと呼ばれることがある。１つの特定の例として、ＷＤは、３ＧＰＰ狭帯域ＩｏＴ（ＮＢ−ＩｏＴ）規格を実装するＵＥであり得る。そのようなマシンまたはデバイスの特定の例は、センサー、電力計などの計量デバイス、産業用機械類、家庭用または個人用電気器具（たとえば、冷蔵庫、テレビジョンなど）、あるいは個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合、デバイスは無線端末と呼ばれることがある。さらに、上記で説明されたＷＤはモバイルであり得、その場合、デバイスはモバ��ルデバイスまたはモバイル端末と呼ばれることもある。
【００８３】
図１０に示されているように、ＷＤ１０１０は、アンテナ１０１１と、インターフェース１０１４と、処理回路１０２０と、デバイス可読媒体１０３０と、ユーザインターフェース機器１０３２と、補助機器１０３４と、電源１０３６と、電力回路１０３７とを含む。ＷＤ１０１０は、ＷＤ１０１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ１０１０内の他の構成要素と同じまたは異なるチップまたはチップのセットに統合され得る。
【００８４】
アンテナ１０１１は、無線信号を送り、および／または受信するように設定された、１つまたは複数のアンテナまたはアンテナアレイを含み得、インターフェース１０１４に接続される。いくつかの代替実施形態では、アンテナ１０１１は、ＷＤ１０１０とは別個であり、インターフェースまたはポートを通してＷＤ１０１０に接続可能であり得る。アンテナ１０１１、インターフェース１０１４、および／または処理回路１０２０は、ＷＤによって実施されるものとして本明細書で説明される任意の受信動作または送信動作を実施するように設定され得る。任意の情報、データ、および／または信号が、ネットワークノードおよび／または別のＷＤから受信され得る。いくつかの実施形態では、無線フロントエンド回路および／またはアンテナ１０１１は、インターフェースと見なされ得る。
【００８５】
示されているように、インターフェース１０１４は、無線フロントエンド回路１０１２とアンテナ１０１１とを備える。無線フロントエンド回路１０１２は、１つまたは複数のフィルタ１０１８と増幅器１０１６とを備える。無線フロントエンド回路１０１２は、アンテナ１０１１および処理回路１０２０に接続され、アンテナ１０１１と処理回路１０２０との間で通信される信号を調節するように設定される。無線フロントエンド回路１０１２は、アンテナ１０１１に結合されるか、またはアンテナ１０１１の一部であり得る。いくつかの実施形態では、ＷＤ１０１０は別個の無線フロントエンド回路１０１２を含まないことがあり、むしろ、処理回路１０２０は、無線フロントエンド回路を備え得、アンテナ１０１１に接続され得る。同様に、いくつかの実施形態では、ＲＦトランシーバ回路１０２２の一部または全部が、インターフェース１０１４の一部と見なされ得る。無線フロントエンド回路１０１２は、無線接続を介して他のネットワークノードまたはＷＤに送出されるべきであるデジタルデータを受信し得る。無線フロントエンド回路１０１２は、デジタルデータを、フィルタ１０１８および／または増幅器１０１６の組合せを使用して適切なチャネルおよび帯域幅パラメータを有する無線信号に変換し得る。無線信号は、次いで、アンテナ１０１１を介して送信され得る。同様に、データを受信するとき、アンテナ１０１１は無線信号を集め得、次いで、無線信号は無線フロントエンド回路１０１２によってデジタルデータに変換される。デジタルデータは、処理回路１０２０に受け渡され得る。他の実施形態では、インターフェース１０１４は、異なる構成要素および／または構成要素の異なる組合せを備え得る。
【００８６】
処理回路１０２０は、単体で、またはデバイス可読媒体１０３０などの他のＷＤ１０１０構成要素と併せてのいずれかで、ＷＤ１０１０機能を提供するように動作可能な、マイクロプロセッサ、コントローラ、マイクロコントローラ、ＣＰＵ、ＤＳＰ、ＡＳＩＣ、ＦＰＧＡ、または任意の他の好適なコンピューティングデバイス、リソースのうちの１つまたは複数の組合せ、あるいはハードウェア、ソフトウェア、および／または符号化された論理の組合せを備え得る。そのような機能は、本明細書で説明される様々な無線特徴または利益のうちのいずれかを提供することを含み得る。たとえば、処理回路１０２０は、本明細書で開示される機能を提供するために、デバイス可読媒体１０３０に記憶された命令、または処理回路１０２０内のメモリに記憶された命令を実行し得る。
【００８７】
示されているように、処理回路１０２０は、ＲＦトランシーバ回路１０２２、ベースバンド処理回路１０２４、およびアプリケーション処理回路１０２６のうちの１つまたは複数を含む。他の実施形態では、処理回路１０２０は、異なる構成要素および／または構成要素の異なる組合せを備え得る。いくつかの実施形態では、ＷＤ１０１０の処理回路１０２０は、ＳＯＣを備え得る。いくつかの実施形態では、ＲＦトランシーバ回路１０２２、ベースバンド処理回路１０２４、およびアプリケーション処理回路１０２６は、別個のチップまたはチップのセット上にあり得る。代替実施形態では、ベースバンド処理回路１０２４およびアプリケーション処理回路１０２６の一部または全部は１つのチップまたはチップのセットになるように組み合わせられ得、ＲＦトランシーバ回路１０２２は別個のチップまたはチップのセット上にあり得る。さらに代替の実施形態では、ＲＦトランシーバ回路１０２２およびベースバンド処理回路１０２４の一部または全部は同じチップまたはチップのセット上にあり得、アプリケーション処理回路１０２６は別個のチップまたはチップのセット上にあり得る。また他の代替実施形態では、ＲＦトランシーバ回路１０２２、ベースバンド処理回路１０２４、およびアプリケーション処理回路１０２６の一部または全部は、同じチップまたはチップのセット中で組み合わせられ得る。いくつかの実施形態では、ＲＦトランシーバ回路１０２２は、インターフェース１０１４の一部であり得る。ＲＦトランシーバ回路１０２２は、処理回路１０２０のためのＲＦ信号を調節し得る。
【００８８】
いくつかの実施形態では、ＷＤによって実施されるものとして本明細書で説明される機能の一部または全部は、デバイス可読媒体１０３０に記憶された命令を実行する処理回路１０２０によって提供され得、デバイス可読媒体１０３０は、いくつかの実施形態では、コンピュータ可読記憶媒体であり得る。代替実施形態では、機能の一部または全部は、ハードワイヤード様式などで、別個のまたは個別のデバイス可読記憶媒体に記憶された命令を実行することなしに、処理回路１０２０によって提供され得る。それらの特定の実施形態のいずれでも、デバイス可読記憶媒体に記憶された命令を実行するか否かにかかわらず、処理回路１０２０は、説明される機能を実施するように設定され得る。そのような機能によって提供される利益は、処理回路１０２０単独に、またはＷＤ１０１０の他の構成要素に限定されないが、全体としてＷＤ１０１０によって、ならびに／または概してエンドユーザおよび無線ネットワークによって、享受される。
【００８９】
処理回路１０２０は、ＷＤによって実施されるものとして本明細書で説明される、任意の決定動作、計算動作、または同様の動作（たとえば、いくつかの取得動作）を実施するように設定され得る。処理回路１０２０によって実施されるようなこれらの動作は、処理回路１０２０によって取得された情報を、たとえば、取得された情報を他の情報に変換することによって、処理すること、取得された情報または変換された情報をＷＤ１０１０によって記憶された情報と比較すること、ならびに／あるいは、取得された情報または変換された情報に基づいて、および前記処理が決定を行ったことの結果として、１つまたは複数の動作を実施することを含み得る。
【００９０】
デバイス可読媒体１０３０は、コンピュータプログラム、ソフトウェア、論理、ルール、コード、表などのうちの１つまたは複数を含むアプリケーション、および／または処理回路１０２０によって実行されることが可能な他の命令を記憶するように動作可能であり得る。デバイス可読媒体１０３０は、コンピュータメモリ（たとえば、ＲＡＭまたはＲＯＭ）、大容量記憶媒体（たとえば、ハードディスク）、リムーバブル記憶媒体（たとえば、ＣＤまたはＤＶＤ）、ならびに／あるいは、処理回路１０２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路１０２０およびデバイス可読媒体１０３０は、統合されていると見なされ得る。
【００９１】
ユーザインターフェース機器１０３２は、人間のユーザがＷＤ１０１０と対話することを可能にする構成要素を提供し得る。そのような対話は、視覚、聴覚、触覚など、多くの形式のものであり得る。ユーザインターフェース機器１０３２は、ユーザへの出力を作り出すように、およびユーザがＷＤ１０１０への入力を提供することを可能にするように動作可能であり得る。対話のタイプは、ＷＤ１０１０にインストールされるユーザインターフェース機器１０３２のタイプに応じて変動し得る。たとえば、ＷＤ１０１０がスマートフォンである場合、対話はタッチスクリーンを介したものであり得、ＷＤ１０１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１０３２は、入力インターフェース、デバイスおよび回路、ならびに、出力インターフェース、デバイスおよび回路を含み得る。ユーザインターフェース機器１０３２は、ＷＤ１０１０への情報の入力を可能にするように設定され、処理回路１０２０が入力情報を処理することを可能にするために、処理回路１０２０に接続される。ユーザインターフェース機器１０３２は、たとえば、マイクロフォン、近接度または他のセンサー、キー／ボタン、タッチディスプレイ、１つまたは複数のカメラ、ユニバーサルシリアルバス（ＵＳＢ）ポート、あるいは他の入力回路を含み得る。ユーザインターフェース機器１０３２はまた、ＷＤ１０１０からの情報の出力を可能にするように、および処理回路１０２０がＷＤ１０１０からの情報を出力することを可能にするように設定される。ユーザインターフェース機器１０３２は、たとえば、スピーカー、ディスプレイ、振動回路、ＵＳＢポート、ヘッドフォンインターフェース、または他の出力回路を含み得る。ユーザインターフェース機器１０３２の１つまたは複数の入力および出力インターフェース、デバイス、および回路を使用して、ＷＤ１０１０は、エンドユーザおよび／または無線ネットワークと通信し、エンドユーザおよび／または無線ネットワークが本明細書で説明される機能から利益を得ることを可能にし得る。
【００９２】
補助機器１０３４は、概してＷＤによって実施されないことがある、より固有の機能を提供するように動作可能である。これは、様々な目的のために測定を行うための特殊化されたセンサー、有線通信などのさらなるタイプの通信のためのインターフェースなどを備え得る。補助機器１０３４の構成要素の包含およびタイプは、実施形態および／またはシナリオに応じて変動し得る。
【００９３】
電源１０３６は、いくつかの実施形態では、バッテリーまたはバッテリーパックの形態のものであり得る。外部電源（たとえば、電気コンセント）、光起電力デバイス、または電池など、他のタイプの電源も使用され得る。ＷＤ１０１０は、電源１０３６から、本明細書で説明または指示される任意の機能を行うために電源１０３６からの電力を必要とする、ＷＤ１０１０の様々な部分に電力を配信するための、電力回路１０３７をさらに備え得る。電力回路１０３７は、いくつかの実施形態では、電力管理回路を備え得る。電力回路１０３７は、追加または代替として、外部電源から電力を受信するように動作可能であり得、その場合、ＷＤ１０１０は、電力ケーブルなどの入力回路またはインターフェースを介して（電気コンセントなどの）外部電源に接続可能であり得る。電力回路１０３７はまた、いくつかの実施形態では、外部電源から電源１０３６に電力を配信するように動作可能であり得る。これは、たとえば、電源１０３６の充電のためのものであり得る。電力回路１０３７は、電源１０３６からの電力に対して、その電力を、電力が供給されるＷＤ１０１０のそれぞれの構成要素に好適であるようにするために、任意のフォーマッティング、変換、または他の修正を実施し得る。
【００９４】
図１１は、任意の２つのネットワーク機能（ＮＦ）間の対話がポイントツーポイント参照ポイント／インターフェースによって表される、コアＮＦから組み立てられた５Ｇネットワークアーキテクチャとして表される無線通信システムを示す。図１１は、図１０のシステム１０００の特定の一実装形態と見なされ得る。
【００９５】
アクセス側から見ると、図１１に示されている５Ｇネットワークアーキテクチャは、ＲＡＮまたはアクセスネットワーク（ＡＮ）のいずれか、ならびにアクセスおよびモビリティ管理機能（ＡＭＦ）に接続される複数のＵＥを備える。一般に、Ｒ（ＡＮ）は、たとえばｅＮＢまたはｇＮＢあるいは同様のものなど、基地局を備える。ＣＮ側から見ると、図１１に示されている５ＧコアＮＦは、ネットワークスライス選択機能（ＮＳＳＦ）と、認証サーバ機能（ＡＵＳＦ）と、統合データ管理（ＵＤＭ）と、ＡＭＦと、セッション管理機能（ＳＭＦ）と、ポリシー制御機能（ＰＣＦ）と、アプリケーション機能（ＡＦ）とを含む。
【００９６】
標準的な規格化における詳細なコールフローを展開するために５Ｇネットワークアーキテクチャの参照ポイント表現が使用される。ＵＥとＡＭＦとの間のシグナリングを搬送するために、Ｎ１参照ポイントが規定される。ＡＮとＡＭＦとの間を、およびＡＮとＵＰＦとの間を接続するための参照ポイントが、それぞれ、Ｎ２およびＮ３として規定される。ＡＭＦとＳＭＦとの間に参照ポイントＮ１１があり、これは、ＳＭＦがＡＭＦによって少なくとも部分的に制御されることを暗示する。Ｎ４が、ＳＭＦおよびＵＰＦによって使用され、したがって、ＵＰＦは、ＳＭＦによって生成された制御信号を使用してセットされ得、ＵＰＦは、その状態をＳＭＦに報告することができる。それぞれ、Ｎ９が、異なるＵＰＦ間の接続のための参照ポイントであり、Ｎ１４が、異なるＡＭＦ間を接続する参照ポイントである。ＰＣＦが、それぞれ、ＡＭＦおよびＳＭＰにポリシーを適用するので、Ｎ１５およびＮ７が規定される。Ｎ１２は、ＡＭＦがＵＥの認証を実施するために必要とされる。ＵＥのサブスクリプションデータがＡＭＦおよびＳＭＦに必要とされるので、Ｎ８およびＮ１０が規定される。
【００９７】
５Ｇコアネットワークは、ユーザプレーンと制御プレーンとを分離することを目的とする。ユーザプレーンはユーザトラフィックを搬送し、制御プレーンはネットワーク中のシグナリングを搬送する。図１１では、ＵＰＦはユーザプレーン中にあり、すべての他のＮＦ、すなわち、ＡＭＦ、ＳＭＦ、ＰＣＦ、ＡＦ、ＡＵＳＦ、およびＵＤＭは制御プレーン中にある。ユーザプレーンと制御プレーンとを分離することは、各プレーンリソースが独立してスケーリングされることを保証する。ユーザプレーンと制御プレーンとを分離することはまた、ＵＰＦが、分散して制御プレーン機能とは別個に配置されることを可能にする。このアーキテクチャでは、ＵＰＦは、低レイテンシを必要とするいくつかの適用例についてＵＥとデータネットワークとの間のラウンドトリップタイム（ＲＴＴ）を短縮するために、ＵＥの極めて近くに配置され得る。
【００９８】
コア５Ｇネットワークアーキテクチャは、モジュール化された機能から組み立てられる。たとえば、ＡＭＦとＳＭＦとは、制御プレーン中の独立した機能である。分離されたＡＭＦとＳＭＦとは、独立した発展およびスケーリングを可能にする。ＰＣＦおよびＡＵＳＦのような他の制御プレーン機能が、図１１に示されているように分離され得る。モジュール化された機能設計は、５Ｇコアネットワークが様々なサービスをフレキシブルにサポートすることを可能にする。
【００９９】
各ＮＦは、別のＮＦと直接対話する。あるＮＦから別のＮＦにメッセージをルーティングするために中間機能を使用することが可能である。制御プレーンでは、２つのＮＦ間の対話のセットがサービスとして規定され、したがって、その再使用が可能である。このサービスは、モジュラリティのサポートを可能にする。ユーザプレーンは、異なるＵＰＦ間のフォワーディング動作など、対話をサポートする。
【０１００】
図１２は、図１１の５Ｇネットワークアーキテクチャにおいて使用されるポイントツーポイント参照ポイント／インターフェースの代わりに、制御プレーン中でＮＦ間でサービスベースインターフェースを使用する５Ｇネットワークアーキテクチャを示す。しかしながら、図１１を参照しながら上記で説明されたＮＦは、図１２に示されているＮＦに対応する。ＮＦが他の許可されたＮＦに提供する（１つまたは複数の）サービスなどは、サービスベースインターフェースを通して、許可されたＮＦに露出され得る。図１２では、サービスベースインターフェースは、文字「Ｎ」およびその後に続くＮＦの名前、たとえば、ＡＭＦのサービスベースインターフェースの場合はＮａｍｆおよびＳＭＦのサービスベースインターフェースの場合はＮｓｍｆなどによって指示される。図１２中のネットワーク露出機能（ＮＥＦ）およびネットワークリポジトリ機能（ＮＲＦ）は、上記で説明された図１１に示されていない。しかしながら、図１１中で明示的に指示されていないが、図１１に図示されているすべてのＮＦが、必要に応じて図１２のＮＥＦおよびＮＲＦと対話することができることが、明瞭にされるべきである。
【０１０１】
図１１および図１２に示されているＮＦのいくつかの特性が、以下の様式で説明され得る。ＡＭＦは、ＵＥベース認証、許可、モビリティ管理などを提供する。ＡＭＦはアクセス技術から独立しているので、多元接続技術を使用するＵＥでさえ、基本的に単一のＡＭＦに接続される。ＳＭＦは、セッション管理を担当し、ＩＰアドレスをＵＥに割り当てる。ＳＭＦはまた、データ転送のためにＵＰＦを選択し、制御する。ＵＥが複数のセッションを有する場合、複数のセッションを個々に管理し、場合によってはセッションごとに異なる機能を提供するために、異なるＳＭＦが各セッションに割り当てられ得る。ＡＦは、サービス品質（ＱｏＳ）をサポートするために、ポリシー制御を担当するＰＣＦに、パケットフローに関する情報を提供する。その情報に基づいて、ＰＣＦは、ＡＭＦおよびＳＭＦを適切に動作させるために、モビリティおよびセッション管理に関するポリシーを決定する。ＡＵＳＦは、ＵＥまたは同様のものについての認証機能をサポートし、したがって、ＵＥまたは同様のものの認証のためのデータを記憶し、ＵＤＭは、ＵＥのサブスクリプションデータを記憶する。５Ｇコアネットワークの一部でないデータネットワーク（ＤＮ）は、インターネットアクセスまたはオペレータサービスおよび同様のものを提供する。
【０１０２】
ＮＦは、専用ハードウェア上のネットワークエレメントとして、専用ハードウェア上で稼働するソフトウェアインスタンスとして、または適切なプラットフォーム、たとえば、クラウドインフラストラクチャ上でインスタンス化される仮想化された機能としてのいずれかで実装され得る。
【０１０３】
図１３は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ１３００は、ＮＢ−ＩｏＴ  ＵＥ、ＭＴＣ  ＵＥ、および／または拡張ＭＴＣ（ｅＭＴＣ）ＵＥを含む、３ＧＰＰによって識別される任意のＵＥであり得る。図１３に示されているＵＥ１３００は、３ＧＰＰのＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図１３はＵＥであるが、本明細書で説明される構成要素は、ＷＤに等しく適用可能であり、その逆も同様である。
【０１０４】
図１３では、ＵＥ１３００は、入出力インターフェース１３０５、ＲＦインターフェース１３０９、ネットワーク接続インターフェース１３１１、ＲＡＭ１３１７とＲＯＭ１３１９と記憶媒体１３２１などとを含むメモリ１３１５、通信サブシステム１３３１、電源１３１３、および／または他の構成要素、あるいはそれらの任意の組合せに動作可能に結合された、処理回路１３０１を含む。記憶媒体１３２１は、オペレーティングシステム１３２３と、アプリケーションプログラム１３２５と、データ１３２７とを含む。他の実施形態では、記憶媒体１３２１は、他の同様のタイプの情報を含み得る。いくつかのＵＥは、図１３に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【０１０５】
図１３では、処理回路１３０１は、コンピュータ命令およびデータを処理するように設定され得る。処理回路１３０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはＤＳＰなど、１つまたは複数のプログラム内蔵、汎用プロセッサ、あるいは上記の任意の組合せを実装するように設定され得る。たとえば、処理回路１３０１は、２つのＣＰＵを含み得る。データは、コンピュータによる使用に好適な形式での情報であり得る。
【０１０６】
図示された実施形態では、入出力インターフェース１３０５は、入力デバイス、出力デバイス、または入出力デバイスに通信インターフェースを提供するように設定され得る。ＵＥ１３００は、入出力インターフェース１３０５を介して出力デバイスを使用するように設定され得る。出力デバイスは、入力デバイスと同じタイプのインターフェースポートを使用し得る。たとえば、ＵＥ１３００への入力およびＵＥ１３００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ１３００は、ユーザがＵＥ１３００に情報をキャプチャすることを可能にするために、入出力インターフェース１３０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１０７】
図１３では、ＲＦインターフェース１３０９は、送信機、受信機、およびアンテナなど、ＲＦ構成要素に通信インターフェースを提供するように設定され得る。ネットワーク接続インターフェース１３１１は、ネットワーク１３４３Ａに通信インターフェースを提供するように設定され得る。ネットワーク１３４３Ａは、ＬＡＮ、ＷＡＮ、コンピュータネットワーク、無線ネットワーク、通信ネットワーク、別の同様のネットワークまたはそれらの任意の組合せなど、有線および／または無線ネットワークを包含し得る。たとえば、ネットワーク１３４３Ａは、ＷｉＦｉネットワークを備え得る。ネットワーク接続インターフェース１３１１は、イーサネット、伝送制御プロトコル（ＴＣＰ）／ＩＰ、同期光ネットワーキング（ＳＯＮＥＴ）、非同期転送モード（ＡＴＭ）など、１つまたは複数の通信プロトコルに従って通信ネットワーク上で１つまたは複数の他のデバイスと通信するために使用される、受信機および送信機インターフェースを含むように設定され得る。ネットワーク接続インターフェース１３１１は、通信ネットワークリンク（たとえば、光学的、電気的など）に適した受信機および送信機機能を実装し得る。送信機および受信機機能は、回路構成要素、ソフトウェア、またはファームウェアを共有し得るか、あるいは、代替的に、別個に実装され得る。
【０１０８】
ＲＡＭ１３１７は、オペレーティングシステム、アプリケーションプログラム、およびデバイスドライバなど、ソフトウェアプログラムの実行中に、データまたはコンピュータ命令の記憶またはキャッシングを提供するために、バス１３０２を介して処理回路１３０１にインターフェースするように設定され得る。ＲＯＭ１３１９は、処理回路１３０１にコンピュータ命令またはデータを提供するように設定され得る。たとえば、ＲＯＭ１３１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体１３２１は、ＲＡＭ、ＲＯＭ、プログラマブルＲＯＭ（ＰＲＯＭ）、消去可能ＰＲＯＭ（ＥＰＲＯＭ）、電気的ＥＰＲＯＭ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体１３２１は、オペレーティングシステム１３２３と、ウェブブラウザアプリケーション、ウィジェットまたはガジェットエンジン、あるいは別のアプリケーションなどのアプリケーションプログラム１３２５と、データファイル１３２７とを含むように設定され得る。記憶媒体１３２１は、ＵＥ１３００による使用のために、多様な様々なオペレーティングシステムまたはオペレーティングシステムの組合せのうちのいずれかを記憶し得る。
【０１０９】
記憶媒体１３２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックＲＡＭ（ＳＤＲＡＭ）、外部マイクロＤＩＭＭ  ＳＤＲＡＭ、加入者識別モジュール（ＳＩＭ）またはリムーバブルユーザ識別情報（ＲＵＩＭ）モジュールなどのスマートカードメモリ、他のメモリ、あるいはそれらの任意の組合せなど、いくつかの物理ドライブユニットを含むように設定され得る。記憶媒体１３２１は、ＵＥ１３００が、一時的または非一時的メモリ媒体に記憶されたコンピュータ実行可能命令、アプリケーションプログラムなどにアクセスすること、データをオフロードすること、あるいはデータをアップロードすることを可能にし得る。通信システムを利用する製造品などの製造品は、記憶媒体１３２１中に有形に具現され得、記憶媒体１３２１はデバイス可読媒体を備え得る。
【０１１０】
図１３では、処理回路１３０１は、通信サブシステム１３３１を使用してネットワーク１３４３Ｂと通信するように設定され得る。ネットワーク１３４３Ａとネットワーク１３４３Ｂとは、同じ１つまたは複数のネットワークまたは異なる１つまたは複数のネットワークであり得る。通信サブシステム１３３１は、ネットワーク１３４３Ｂと通信するために使用される１つまたは複数のトランシーバを含むように設定され得る。たとえば、通信サブシステム１３３１は、ＩＥＥＥ８０２．１３、符号分割多元接続（ＣＤＭＡ）、ＷＣＤＭＡ、ＧＳＭ、ＬＴＥ、ユニバーサル地上ＲＡＮ（ＵＴＲＡＮ）、ＷｉＭａｘなど、１つまたは複数の通信プロトコルに従って、ＲＡＮの別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能または受信機機能をそれぞれ実装するための、送信機１３３３および／または受信機１３３５を含み得る。さらに、各トランシーバの送信機１３３３および受信機１３３５は、回路構成要素、ソフトウェア、またはファームウェアを共有し得るか、あるいは、代替的に、別個に実装され得る。
【０１１１】
示されている実施形態では、通信サブシステム１３３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム１３３１は、セルラー通信と、ＷｉＦｉ通信と、Ｂｌｕｅｔｏｏｔｈ通信と、ＧＰＳ通信とを含み得る。ネットワーク１３４３Ｂは、ＬＡＮ、ＷＡＮ、コンピュータネットワーク、無線ネットワーク、通信ネットワーク、別の同様のネットワーク、またはそれらの任意の組合せなど、有線および／または無線ネットワークを包含し得る。たとえば、ネットワーク１３４３Ｂは、セルラーネットワーク、ＷｉＦｉネットワーク、および／またはニアフィールドネットワークであり得る。電源１３１３は、ＵＥ１３００の構成要素に交流（ＡＣ）または直流電力を提供するように設定され得る。
【０１１２】
本明細書で説明される特徴、利益、および／または機能は、ＵＥ１３００の構成要素のうちの１つにおいて実装されるか、またはＵＥ１３００の複数の構成要素にわたって分割され得る。さらに、本明細書で説明される特徴、利益、および／または機能は、ハードウェア、ソフトウェア、またはファームウェアの任意の組合せで実装され得る。一例では、通信サブシステム１３３１は、本明細書で説明される構成要素のうちのいずれかを含むように設定され得る。さらに、処理回路１３０１は、バス１３０２上でそのような構成要素のうちのいずれかと通信するように設定され得る。別の例では、そのような構成要素のうちのいずれかは、処理回路１３０１によって実行されたとき、本明細書で説明される対応する機能を実施する、メモリに記憶されたプログラム命令によって表され得る。別の例では、そのような構成要素のうちのいずれかの機能は、処理回路１３０１と通信サブシステム１３３１との間で分割され得る。別の例では、そのような構成要素のうちのいずれかの非計算集約的機能が、ソフトウェアまたはファームウェアで実装され得、計算集約的機能がハードウェアで実装され得る。
【０１１３】
図１４は、いくつかの実施形態によって実装される機能が仮想化され得る、仮想化環境１４００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、ＷＤ、または任意の他のタイプの通信デバイス）またはそのデバイスの構成要素に適用され得、機能の少なくとも一部分が、（たとえば、１つまたは複数のネットワークにおいて１つまたは複数の物理処理ノード上で実行する、１つまたは複数のアプリケーション、構成要素、機能、仮想マシン、またはコンテナを介して）１つまたは複数の仮想構成要素として実装される、実装形態に関する。
【０１１４】
いくつかの実施形態では、本明細書で説明される機能の一部または全部は、ハードウェアノード１４３０のうちの１つまたは複数によってホストされる１つまたは複数の仮想環境１４００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１１５】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション１４２０によって実装され得る。アプリケーション１４２０は、処理回路１４６０とメモリ１４９０−１とを備えるハードウェア１４３０を提供する、仮想化環境１４００において稼働される。メモリ１４９０−１は、処理回路１４６０によって実行可能な命令１４９５を含んでおり、それにより、アプリケーション１４２０は、本明細書で開示される特徴、利益、および／または機能のうちの１つまたは複数を提供するように動作可能である。
【０１１６】
仮想化環境１４００は、１つまたは複数のプロセッサのセットまたは処理回路１４６０を備える、汎用または専用のネットワークハードウェアデバイス１４３０を備え、１つまたは複数のプロセッサのセットまたは処理回路１４６０は、商用オフザシェルフ（ＣＯＴＳ）プロセッサ、専用のＡＳＩＣ、あるいは、デジタルもしくはアナログハードウェア構成要素または専用プロセッサを含む任意の他のタイプの処理回路であり得る。各ハードウェアデバイス１４３０はメモリ１４９０−１を備え得、メモリ１４９０−１は、処理回路１４６０によって実行される命令１４９５またはソフトウェアを一時的に記憶するための非永続的メモリであり得る。各ハードウェアデバイス１４３０は、ネットワークインターフェースカードとしても知られる、１つまたは複数のネットワークインターフェースコントローラ（ＮＩＣ）１４７０を備え得、ネットワークインターフェースコントローラ（ＮＩＣ）１４７０は物理ネットワークインターフェース１４８０を含む。各ハードウェアデバイス１４３０は、処理回路１４６０によって実行可能なソフトウェア１４９５および／または命令を記憶した、非一時的、永続的、機械可読記憶媒体１４９０−２をも含み得る。ソフトウェア１４９５は、１つまたは複数の（ハイパーバイザとも呼ばれる）仮想化レイヤ１４５０をインスタンス化するためのソフトウェア、仮想マシン１４４０を実行するためのソフトウェア、ならびに、それが、本明細書で説明されるいくつかの実施形態との関係において説明される機能、特徴、および／または利益を実行することを可能にする、ソフトウェアを含む、任意のタイプのソフトウェアを含み得る。
【０１１７】
仮想マシン１４４０は、仮想処理、仮想メモリ、仮想ネットワーキングまたはインターフェース、および仮想記憶域を備え、対応する仮想化レイヤ１４５０またはハイパーバイザによって稼働され得る。仮想アプライアンス１４２０の事例の異なる実施形態が、仮想マシン１４４０のうちの１つまたは複数上で実装され得、実装は異なるやり方で行われ得る。
【０１１８】
動作中に、処理回路１４６０は、ソフトウェア１４９５を実行してハイパーバイザまたは仮想化レイヤ１４５０をインスタンス化し、ハイパーバイザまたは仮想化レイヤ１４５０は、時々、仮想マシンモニタ（ＶＭＭ）と呼ばれることがある。仮想化レイヤ１４５０は、仮想マシン１４４０に、ネットワーキングハードウェアのように見える仮想動作プラットフォームを提示し得る。
【０１１９】
図１４に示されているように、ハードウェア１４３０は、一般的なまたは特定の構成要素をもつスタンドアロンネットワークノードであり得る。ハードウェア１４３０は、アンテナ１４２２５を備え得、仮想化を介していくつかの機能を実装し得る。代替的に、ハードウェア１４３０は、多くのハードウェアノードが協働し、特に、アプリケーション１４２０のライフサイクル管理を監督する、管理およびオーケストレーション（ＭＡＮＯ）１４１００を介して管理される、（たとえば、データセンタまたはＣＰＥの場合のような）ハードウェアのより大きいクラスタの一部であり得る。
【０１２０】
ハードウェアの仮想化は、いくつかのコンテキストにおいて、ネットワーク機能仮想化（ＮＦＶ）と呼ばれる。ＮＦＶは、多くのネットワーク機器タイプを、データセンタおよびＣＰＥ中に位置し得る、業界標準高ボリュームサーバハードウェア、物理スイッチ、および物理記憶域上にコンソリデートするために使用され得る。
【０１２１】
ＮＦＶのコンテキストでは、仮想マシン１４４０は、プログラムを、それらのプログラムが、物理的な仮想化されていないマシン上で実行しているかのように稼働する、物理マシンのソフトウェア実装形態であり得る。仮想マシン１４４０の各々と、その仮想マシン１４４０に専用のハードウェアであろうと、および／またはその仮想マシン１４４０によって仮想マシン１４４０のうちの他の仮想マシン１４４０と共有されるハードウェアであろうと、その仮想マシン１４４０を実行するハードウェア１４３０のその一部とは、別個の仮想ネットワークエレメント（ＶＮＥ）を形成する。
【０１２２】
さらにＮＦＶのコンテキストでは、仮想ネットワーク機能（ＶＮＦ）は、ハードウェアネットワーキングインフラストラクチャ１４３０の上の１つまたは複数の仮想マシン１４４０において稼働する特定のネットワーク機能をハンドリングすることを担当し、図１４中のアプリケーション１４２０に対応する。
【０１２３】
いくつかの実施形態では、各々、１つまたは複数の送信機１４２２０と１つまたは複数の受信機１４２１０とを含む、１つまたは複数の無線ユニット１４２００は、１つまたは複数のアンテナ１４２２５に結合され得る。無線ユニット１４２００は、１つまたは複数の適切なネットワークインターフェースを介してハードウェアノード１４３０と直接通信し得、無線アクセスノードまたは基地局など、無線能力をもつ仮想ノードを提供するために仮想構成要素と組み合わせて使用され得る。
【０１２４】
いくつかの実施形態では、何らかのシグナリングが、ハードウェアノード１４３０と無線ユニット１４２００との間の通信のために代替的に使用され得る、制御システム１４２３０を使用して実現され得る。
【０１２５】
図１５を参照すると、一実施形態によれば、通信システムが、ＲＡＮなどのアクセスネットワーク１５１１とコアネットワーク１５１４とを備える、３ＧＰＰタイプセルラーネットワークなどの通信ネットワーク１５１０を含む。アクセスネットワーク１５１１は、ノードＢ、ｅＮＢ、ｇＮＢ、または他のタイプの無線ＡＰなど、複数の基地局１５１２Ａ、１５１２Ｂ、１５１２Ｃを備え、各々が、対応するカバレッジエリア１５１３Ａ、１５１３Ｂ、１５１３Ｃを規定する。各基地局１５１２Ａ、１５１２Ｂ、１５１２Ｃは、有線接続または無線接続１５１５を介してコアネットワーク１５１４に接続可能である。カバレッジエリア１５１３Ｃ中に位置する第１のＵＥ１５９１が、対応する基地局１５１２Ｃに無線で接続するか、または対応する基地局１５１２Ｃによってページングされるように設定される。カバレッジエリア１５１３Ａ中の第２のＵＥ１５９２が、対応する基地局１５１２Ａに無線で接続可能である。この例では複数のＵＥ１５９１、１５９２が示されているが、開示される実施形態は、唯一のＵＥがカバレッジエリア中にある状況、または、唯一のＵＥが、対応する基地局１５１２に接続している状況に等しく適用可能である。
【０１２６】
通信ネットワーク１５１０は、それ自体、ホストコンピュータ１５３０に接続され、ホストコンピュータ１５３０は、スタンドアロンサーバ、クラウド実装サーバ、分散型サーバのハードウェアおよび／またはソフトウェアで、あるいはサーバファーム中の処理リソースとして具現され得る。ホストコンピュータ１５３０は、サービスプロバイダの所有または制御下にあり得るか、あるいはサービスプロバイダによってまたはサービスプロバイダに代わって動作され得る。通信ネットワーク１５１０とホストコンピュータ１５３０との間の接続１５２１および１５２２は、コアネットワーク１５１４からホストコンピュータ１５３０に直接延び得るか、または随意の中間ネットワーク１５２０を介して進み得る。中間ネットワーク１５２０は、パブリックネットワーク、プライベートネットワーク、またはホストされたネットワークのうちの１つ、またはそれらのうちの２つ以上の組合せであり得、中間ネットワーク１５２０は、もしあれば、バックボーンネットワークまたはインターネットであり得、特に、中間ネットワーク１５２０は、２つまたはそれ以上のサブネットワーク（図示せず）を備え得る。
【０１２７】
図１５の通信システムは全体として、接続されたＵＥ１５９１、１５９２とホストコンピュータ１５３０との間のコネクティビティを可能にする。コネクティビティは、オーバーザトップ（ＯＴＴ）接続１５５０として説明され得る。ホストコンピュータ１５３０および接続されたＵＥ１５９１、１５９２は、アクセスネットワーク１５１１、コアネットワーク１５１４、任意の中間ネットワーク１５２０、および可能なさらなるインフラストラクチャ（図示せず）を媒介として使用して、ＯＴＴ接続１５５０を介して、データおよび／またはシグナリングを通信するように設定される。ＯＴＴ接続１５５０は、ＯＴＴ接続１５５０が通過する関与する通信デバイスが、アップリンク通信およびダウンリンク通信のルーティングに気づいていないという意味で、透過的であり得る。たとえば、基地局１５１２は、接続されたＵＥ１５９１にフォワーディング（たとえば、ハンドオーバ）されるべき、ホストコンピュータ１５３０から発生したデータを伴う着信ダウンリンク通信の過去のルーティングについて、知らされないことがあるかまたは知らされる必要がない。同様に、基地局１５１２は、ＵＥ１５９１から発生してホストコンピュータ１５３０に向かう発信アップリンク通信の将来ルーティングに気づいている必要がない。
【０１２８】
次に、一実施形態による、前の段落において説明されたＵＥ、基地局、およびホストコンピュータの例示的な実装形態が、図１６を参照しながら説明される。通信システム１６００では、ホストコンピュータ１６１０は、通信システム１６００の異なる通信デバイスのインターフェースとの有線接続または無線接続をセットアップおよび維持するように設定された通信インターフェース１６１６を含む、ハードウェア１６１５を備える。ホストコンピュータ１６１０は、記憶能力および／または処理能力を有し得る、処理回路１６１８をさらに備える。特に、処理回路１６１８は、命令を実行するように適応された、１つまたは複数のプログラマブルプロセッサ、ＡＳＩＣ、ＦＰＧＡ、またはこれらの組合せ（図示せず）を備え得る。ホストコンピュータ１６１０は、ホストコンピュータ１６１０に記憶されるかまたはホストコンピュータ１６１０によってアクセス可能であり、処理回路１６１８によって実行可能である、ソフトウェア１６１１をさらに備える。ソフトウェア１６１１は、ホストアプリケーション１６１２を含む。ホストアプリケーション１６１２は、ＵＥ１６３０およびホストコンピュータ１６１０において終端するＯＴＴ接続１６５０を介して接続するＵＥ１６３０など、リモートユーザにサービスを提供するように動作可能であり得る。リモートユーザにサービスを提供する際に、ホストアプリケーション１６１２は、ＯＴＴ接続１６５０を使用して送信されるユーザデータを提供し得る。
【０１２９】
通信システム１６００は、通信システム中に提供される基地局１６２０をさらに含み、基地局１６２０は、基地局１６２０がホストコンピュータ１６１０およびＵＥ１６３０と通信することを可能にするハードウェア１６２５を備える。ハードウェア１６２５は、通信システム１６００の異なる通信デバイスのインターフェースとの有線接続または無線接続をセットアップおよび維持するための通信インターフェース１６２６、ならびに基地局１６２０によってサーブされるカバレッジエリア（図１６に図示せず）中に位置するＵＥ１６３０との少なくとも無線接続１６７０をセットアップおよび維持するための無線インターフェース１６２７を含み得る。通信インターフェース１６２６は、ホストコンピュータ１６１０への接続１６６０を容易にするように設定され得る。接続１６６０は直接であり得るか、あるいは接続１６６０は、通信システムのコアネットワーク（図１６に図示せず）を、および／または通信システムの外側の１つまたは複数の中間ネットワークを通過し得る。図示の実施形態では、基地局１６２０のハードウェア１６２５は、処理回路１６２８をさらに含み、処理回路１６２８は、命令を実行するように適応された、１つまたは複数のプログラマブルプロセッサ、ＡＳＩＣ、ＦＰＧＡ、またはこれらの組合せ（図示せず）を備え得る。基地局１６２０は、内部的に記憶されるかまたは外部接続を介してアクセス可能なソフトウェア１６２１をさらに有する。
【０１３０】
通信システム１６００は、すでに言及されたＵＥ１６３０をさらに含む。ＵＥ１６３０のハードウェア１６３５は、ＵＥ１６３０が現在位置するカバレッジエリアをサーブする基地局との無線接続１６７０をセットアップおよび維持するように設定された、無線インターフェース１６３７を含み得る。ＵＥ１６３０のハードウェア１６３５は、処理回路１６３８をさらに含み、処理回路１６３８は、命令を実行するように適応された、１つまたは複数のプログラマブルプロセッサ、ＡＳＩＣ、ＦＰＧＡ、またはこれらの組合せ（図示せず）を備え得る。ＵＥ１６３０は、ＵＥ１６３０に記憶されるかまたはＵＥ１６３０によってアクセス可能であり、処理回路１６３８によって実行可能である、ソフトウェア１６３１をさらに備える。ソフトウェア１６３１は、クライアントアプリケーション１６３２を含む。クライアントアプリケーション１６３２は、ホストコンピュータ１６１０のサポートを伴って、ＵＥ１６３０を介して人間のまたは人間でないユーザにサービスを提供するように動作可能であり得る。ホストコンピュータ１６１０では、実行しているホストアプリケーション１６１２は、ＵＥ１６３０およびホストコンピュータ１６１０において終端するＯＴＴ接続１６５０を介して、実行しているクライアントアプリケーション１６３２と通信し得る。ユーザにサービスを提供する際に、クライアントアプリケーション１６３２は、ホストアプリケーション１６１２から要求データを受信し、要求データに応答してユーザデータを提供し得る。ＯＴＴ接続１６５０は、要求データとユーザデータの両方を転送し得る。クライアントアプリケーション１６３２は、クライアントアプリケーション１６３２が提供するユーザデータを生成するためにユーザと対話し得る。
【０１３１】
図１６に示されているホストコンピュータ１６１０、基地局１６２０、およびＵＥ１６３０は、それぞれ、図１５のホストコンピュータ１５３０、基地局１５１２Ａ、１５１２Ｂ、１５１２Ｃのうちの１つ、およびＵＥ１５９１、１５９２のうちの１つと同様または同等であり得ることに留意されたい。つまり、これらのエンティティの内部の働きは、図１６に示されているようなものであり得、別個に、周囲のネットワークトポロジーは、図１５のものであり得る。
【０１３２】
図１６では、ＯＴＴ接続１６５０は、仲介デバイスとこれらのデバイスを介したメッセージの正確なルーティングとへの明示的言及なしに、基地局１６２０を介したホストコンピュータ１６１０とＵＥ１６３０との間の通信を示すために抽象的に描かれている。ネットワークインフラストラクチャが、ルーティングを決定し得、ルーティングは、ＵＥ１６３０からまたはホストコンピュータ１６１０を動作させるサービスプロバイダから、またはその両方から隠れるように設定され得る。ＯＴＴ接続１６５０がアクティブである間、ネットワークインフラストラクチャは、さらに、ネットワークインフラストラクチャが、（たとえば、ネットワークの負荷分散考慮または再設定に基づいて）ルーティングを動的に変更する判断を行い得る。
【０１３３】
ＵＥ１６３０と基地局１６２０との間の無線接続１６７０は、本開示全体にわたって説明される実施形態の教示に従う。様々な実施形態のうちの１つまたは複数は、無線接続１６７０が最後のセグメントを形成するＯＴＴ接続１６５０を使用して、ＵＥ１６３０に提供されるＯＴＴサービスの性能を改善する。
【０１３４】
１つまたは複数の実施形態が改善する、データレート、レイテンシ、および他のファクタを監視する目的での、測定プロシージャが提供され得る。測定結果の変動に応答して、ホストコンピュータ１６１０とＵＥ１６３０との間のＯＴＴ接続１６５０を再設定するための随意のネットワーク機能がさらにあり得る。測定プロシージャおよび／またはＯＴＴ接続１６５０を再設定するためのネットワーク機能は、ホストコンピュータ１６１０のソフトウェア１６１１およびハードウェア１６１５でまたはＵＥ１６３０のソフトウェア１６３１およびハードウェア１６３５で、またはその両方で実装され得る。いくつかの実施形態では、ＯＴＴ接続１６５０が通過する通信デバイスにおいてまたはそれに関連して、センサー（図示せず）が配置され得、センサーは、上記で例示された監視された量の値を供給すること、またはソフトウェア１６１１、１６３１が監視された量を算出または推定し得る他の物理量の値を供給することによって、測定プロシージャに参加し得る。ＯＴＴ接続１６５０の再設定は、メッセージフォーマット、再送信セッティング、好ましいルーティングなどを含み得、再設定は、基地局１６２０に影響を及ぼす必要がなく、再設定は、基地局１６２０に知られていないかまたは知覚不可能であり得る。そのようなプロシージャおよび機能は、当技術分野において知られ、実践され得る。いくつかの実施形態では、測定は、スループット、伝搬時間、レイテンシなどのホストコンピュータ１６１０の測定を容易にするプロプライエタリＵＥシグナリングを伴い得る。測定は、ソフトウェア１６１１および１６３１が、伝搬時間、エラーなどを監視しながら、ソフトウェア１６１１および１６３１が、ＯＴＴ接続１６５０を使用して、メッセージ、特に、空のまたは「ダミー」メッセージを送信させるという点で実装され得る。
【０１３５】
図１７は、一実施形態による、通信システムにおいて実装される方法を示すフローチャートである。通信システムは、図１５および図１６を参照しながら説明されたものであり得る、ホストコンピュータと基地局とＵＥとを含む。本開示の簡単のために、図１７への図面参照のみがこのセクションに含まれる。ステップ１７１０において、ホストコンピュータはユーザデータを提供する。ステップ１７１０の（随意であり得る）サブステップ１７１１において、ホストコンピュータは、ホストアプリケーションを実行することによって、ユーザデータを提供する。ステップ１７２０において、ホストコンピュータは、ＵＥにユーザデータを搬送する送信を始動する。（随意であり得る）ステップ１７３０において、基地局は、本開示全体にわたって説明される実施形態の教示に従って、ホストコンピュータが始動した送信において搬送されたユーザデータをＵＥに送信する。（また、随意であり得る）ステップ１７４０において、ＵＥは、ホストコンピュータによって実行されるホストアプリケーションに関連付けられたクライアントアプリケーションを実行する。
【０１３６】
図１８は、一実施形態による、通信システムにおいて実装される方法を示すフローチャートである。通信システムは、図１５および図１６を参照しながら説明されたものであり得る、ホストコンピュータと基地局とＵＥとを含む。本開示の簡単のために、図１８への図面参照のみがこのセクションに含まれる。方法のステップ１８１０において、ホストコンピュータはユーザデータを提供する。随意のサブステップ（図示せず）において、ホストコンピュータは、ホストアプリケーションを実行することによって、ユーザデータを提供する。ステップ１８２０において、ホストコンピュータは、ＵＥにユーザデータを搬送する送信を始動する。送信は、本開示全体にわたって説明される実施形態の教示に従って、基地局を介して進み得る。（随意であり得る）ステップ１８３０において、ＵＥは、送信において搬送されたユーザデータを受信する。
【０１３７】
図１９は、一実施形態による、通信システムにおいて実装される方法を示すフローチャートである。通信システムは、図１５および図１６を参照しながら説明されたものであり得る、ホストコンピュータと基地局とＵＥとを含む。本開示の簡単のために、図１９への図面参照のみがこのセクションに含まれる。（随意であり得る）ステップ１９１０において、ＵＥは、ホストコンピュータによって提供された入力データを受信する。追加または代替として、ステップ１９２０において、ＵＥはユーザデータを提供する。ステップ１９２０の（随意であり得る）サブステップ１９２１において、ＵＥは、クライアントアプリケーションを実行することによって、ユーザデータを提供する。ステップ１９１０の（随意であり得る）サブステップ１９１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１９３０において、ホストコンピュータへのユーザデータの送信を始動する。方法のステップ１９４０において、ホストコンピュータは、本開示全体にわたって説明される実施形態の教示に従って、ＵＥから送信されたユーザデータを受信する。
【０１３８】
図２０は、一実施形態による、通信システムにおいて実装される方法を示すフローチャートである。通信システムは、図１５および図１６を参照しながら説明されたものであり得る、ホストコンピュータと基地局とＵＥとを含む。本開示の簡単のために、図２０への図面参照のみがこのセクションに含まれる。（随意であり得る）ステップ２０１０において、本開示全体にわたって説明される実施形態の教示に従って、基地局は、ＵＥからユーザデータを受信する。（随意であり得る）ステップ２０２０において、基地局は、ホストコンピュータへの、受信されたユーザデータの送信を始動する。（随意であり得る）ステップ２０３０において、ホストコンピュータは、基地局によって始動された送信において搬送されたユーザデータを受信する。
【０１３９】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路、ならびに、ＤＳＰ、専用デジタル論理などを含み得る、他のデジタルハードウェアを介して実装され得る。処理回路は、ＲＯＭ、ＲＡＭ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路は、それぞれの機能ユニットに、本開示の１つまたは複数の実施形態による、対応する機能を実施させるために使用され得る。
【０１４０】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路、デバイス、モジュール、プロセッサ、メモリ、論理固体および／または個別デバイス、コンピュータプログラムまたは命令などを含み得る。
【０１４１】
以下の略語のうちの少なくともいくつかが本開示で使用され得る。略語間の不整合がある場合、その略語が上記でどのように使用されるかが選好されるべきである。以下で複数回リストされる場合、最初のリスティングが（１つまたは複数の）後続のリスティングよりも選好されるべきである。
・２Ｇ  第２世代
・３Ｇ  第３世代
・３ＧＰＰ  第３世代パートナーシッププロジェクト
・４Ｇ  第４世代
・５Ｇ  第５世代
・ＡＣ  交流
・ＡＦ  アプリケーション機能
・ＡＭＦ  アクセスおよびモビリティ管理機能
・ＡＮ  アクセスネットワーク
・ＡＰ  アクセスポイント
・ＡＳ  アクセス階層
・ＡＳＩＣ  特定用途向け集積回路
・ＡＴＭ  非同期転送モード
・ＡＵＳＦ  認証サーバ機能
・ＢＳ  基地局
・ＢＳＣ  基地局コントローラ
・ＢＴＳ  基地トランシーバ局
・ＣＡ  キャリアアグリゲーション
・ＣＤ  コンパクトディスク
・ＣＤＭＡ  符号分割多元接続
・ＣＮ  コアネットワーク
・ＣＯＴＳ  商用オフザシェルフ
・ＣＰＥ  顧客構内機器
・ＣＰＵ  中央処理ユニット
・Ｄ２Ｄ  Ｄｅｖｉｃｅ−ｔｏ−Ｄｅｖｉｃｅ
・ＤＡＳ  分散型アンテナシステム
・ＤＣ  デュアルコネクティビティ
・ＤＩＭＭ  デュアルインラインメモリモジュール
・ＤＭ  データネットワーク
・ＤＲＢ  データ無線ベアラ
・ＤＲＸ  間欠受信
・ＤＳＰ  デジタル信号プロセッサ
・ＤＶＤ  デジタルビデオディスク
・ＥＥＰＲＯＭ  電気的消去可能プログラマブル読取り専用メモリ
・ｅＭＴＣ  拡張マシン型通信
・ｅＮＢ  拡張またはエボルブドノードＢ
・ＥＰＲＯＭ  消去可能プログラマブル読取り専用メモリ
・Ｅ−ＳＭＬＣ  エボルブドサービングモバイルロケーションセンタ
・Ｅ−ＵＴＲＡＮ  拡張ユニバーサル地上無線アクセスネットワーク
・ＦＦＳ  さらなる検討が必要
・ＦＰＧＡ  フィールドプログラマブルゲートアレイ
・ＧＨｚ  ギガヘルツ
・ｇＮＢ  新無線基地局
・ＧＰＳ  全地球測位システム
・ＧＳＭ  汎欧州デジタル移動電話方式
・ＨＤＤＳ  ホログラフィックデジタルデータ記憶
・ＨＤ−ＤＶＤ  高密度デジタル多用途ディスク
・Ｉ／Ｏ  入出力
・ＩｏＴ  モノのインターネット
・ＩＰ  インターネットプロトコル
・Ｉ−ＲＮＴＩ  非アクティブ無線ネットワーク一時識別子
・ＬＡＮ  ローカルエリアネットワーク
・ＬＥＥ  ラップトップ組込み機器
・ＬＭＥ  ラップトップ搭載機器
・ＬＴＥ  Ｌｏｎｇ  Ｔｅｒｍ  Ｅｖｏｌｕｔｉｏｎ
・Ｍ２Ｍ  マシンツーマシン
・ＭＡＮＯ  管理およびオーケストレーション
・ＭＣＥ  マルチセル／マルチキャスト協調エンティティ
・ＭＣＧ  マスタセルグループ
・ＭＤＴ  ドライブテスト最小化
・ＭＩＭＯ  多入力多出力
・ＭＭＥ  モビリティ管理エンティティ
・ＭＳＣ  モバイルスイッチングセンタ
・ＭＳＲ  マルチスタンダード無線
・ＭＴＣ  マシン型通信
・ＮＡＳ  非アクセス階層
・ＮＢ−ＩｏＴ  狭帯域モノのインターネット
・ＮＥＦ  ネットワーク露出機能
・ＮＦ  ネットワーク機能
・ＮＦＶ  ネットワーク機能仮想化
・ＮＩＣ  ネットワークインターフェースコントローラ
・ＮＲ  新無線
・ＮＲＦ  ネットワークリポジトリ機能
・ＮＳＳＦ  ネットワークスライス選択機能
・Ｏ＆Ｍ  運用保守
・ＯＳＳ  運用サポートシステム
・ＯＴＴ  オーバーザトップ
・ＰＣＦ  ポリシー制御機能
・ＰＤＡ  携帯情報端末
・ＰＲＯＭ  プログラマブル読取り専用メモリ
・ＰＳＴＮ  公衆交換電話網
・ＱｏＳ  サービス品質
・ＲＡＩＤ  独立ディスクの冗長アレイ
・ＲＡＭ  ランダムアクセスメモリ
・ＲＡＮ  無線アクセスネットワーク
・ＲＡＴ  無線アクセス技術
・ＲＦ  無線周波数
・ＲＮＡ  無線アクセスネットワークベース通知エリア
・ＲＮＡＵ  無線アクセスネットワークベース通知エリア更新
・ＲＮＣ  無線ネットワークコントローラ
・ＲＯＭ  読取り専用メモリ
・ＲＲＣ  無線リソース制御
・ＲＲＨ  リモート無線ヘッド
・ＲＲＵ  リモートラジオユニット
・ＲＴＴ  ラウンドトリップタイム
・ＲＵＩＭ  リムーバブルユーザ識別情報
・ＳＣｅｌｌ  ２次セル
・ＳＣＧ  ２次セルグループ
・ＳＤＲＡＭ  シンクロナスダイナミックランダムアクセスメモリ
・ＳＩＭ  加入者識別モジュール
・ＳＭＦ  セッション管理機能
・ＳＯＣ  システムオンチップ
・ＳＯＮ  自己組織化ネットワーク
・ＳＯＮＥＴ  同期光ネットワーキング
・ＳｐＣｅｌｌ  特殊セル
・ＳＲＢ  シグナリング無線ベアラ
・Ｓ−ＴＭＳＩ  システムアーキテクチャエボリューション一時モバイル加入者識別情報
・ＴＡ  トラッキングエリア
・ＴＣＰ  伝送制御プロトコル
・ＴＰ  テキスト提案
・ＵＤＭ  統合データ管理
・ＵＥ  ユーザ機器
・ＵＬ  アップリンク
・ＵＭＴＳ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
・ＵＳＢ  ユニバーサルシリアルバス
・ＵＴＲＡＮ  ユニバーサル地上無線アクセスネットワーク
・Ｖ２Ｉ  Ｖｅｈｉｃｌｅ−ｔｏ−Ｉｎｆｒａｓｔｒｕｃｔｕｒｅ
・Ｖ２Ｖ  Ｖｅｈｉｃｌｅ−ｔｏ−Ｖｅｈｉｃｌｅ
・Ｖ２Ｘ  Ｖｅｈｉｃｌｅ−ｔｏ−Ｅｖｅｒｙｔｈｉｎｇ
・ＶＭＭ  仮想マシンモニタ
・ＶＮＥ  仮想ネットワークエレメント
・ＶＮＦ  仮想ネットワーク機能
・ＶｏＩＰ  ボイスオーバーインターネットプロトコル
・ＷＡＮ  ワイドエリアネットワーク
・ＷＣＤＭＡ  広帯域符号分割多元接続
・ＷＤ  無線デバイス
・ＷｉＭａｘ  ワールドワイドインターオペラビリティフォーマイクロウェーブアクセス
・ＷＬＡＮ  無線ローカルエリアネットワーク
【０１４２】
当業者は、本開示の実施形態に対する改善および修正を認識されよう。すべてのそのような改善および修正は、本明細書で開示される概念の範囲内で考慮される。
【図１】
2021522743.tif 000009
【図２】
2021522743.tif 000010
【図３】
2021522743.tif 000011
【図４】
2021522743.tif 000012
【図５】
2021522743.tif 000013
【図６】
2021522743.tif 000014
【図７】
2021522743.tif 000015
【図８】
2021522743.tif 000016
【図９】
2021522743.tif 000017
【図１０】
2021522743.tif 000018
【図１１】
2021522743.tif 000019
【図１２】
2021522743.tif 000020
【図１３】
2021522743.tif 000021
【図１４】
2021522743.tif 000022
【図１５】
2021522743.tif 000023
【図１６】
2021522743.tif 000024
【図１７】
2021522743.tif 000025
【図１８】
2021522743.tif 000026
【図１９】
2021522743.tif 000027
【図２０】
2021522743.tif 000028
【国際調査報告】
2021522743.tif 000029
2021522743.tif 000030
2021522743.tif 000031
2021522743.tif 000032
2021522743.tif 000033